(57)【特許請求の範囲】
【請求項１】
複数のオブジェクトを配置して文書編集を行う文書処理装置であって、
ページに配置されているいずれかのオブジェクトの属性に合わせてオブジェクトを配置するための同調フィールドを作成する作成手段と、
前記作成された同調フィールドに対して前記属性を合わせる対象となる指標オブジェクトを前記ページ内から探索する探索手段と、
前記探索手段により探索される指標オブジェクトのテキストサイズが前記同調フィールドに入力されるテキストに反映された場合、前記テキストサイズが反映された前記同調フィールドのテキストが前記同調フィールドに収まるか否かを判定する判定手段と、
前記判定手段により前記テキストサイズが反映された前記同調フィールドのテキストが前記同調フィールドに収まらないと判定された場合、前記テキストサイズが反映された前記同調フィールドのテキストが前記同調フィールドに収まるように前記同調フィールドのサイズを編集する編集手段と、
を有することを特徴とする文書処理装置。
【請求項２】
特定の強調設定として前記指標オブジェクトのテキストサイズとの差分のフォントサイズを設定する強調設定手段を有し、
前記強調設定手段による前記差分と前記指標オブジェクトのテキストサイズとに基づいて決定されるテキストサイズが反映された前記同調フィールドのテキストが前記同調フィールドに収まらないと判定された場合、前記編集手段は、前記同調フィールドのサイズを編集することを特徴とする請求項１に記載の文書処理装置。
【請求項３】
前記同調フィールドの配置位置を前記ページ内で移動させる第１の移動手段を備え、
前記第１の移動手段による前記同調フィールドの移動後、前記探索手段により再探索される指標オブジェクトのテキストサイズが前記同調フィールドのテキストに反映されることを特徴とする請求項１または２に記載の文書処理装置。
【請求項４】
前記指標オブジェクトを前記ページ内で移動させる第２の移動手段を備え、前記第２の移動手段による前記指標オブジェクトの移動に従って、前記指標オブジェクトに対応する前記同調フィールドが合わせて移動されることを特徴とする請求項１乃至３のいずれか１項に記載の文書処理装置。
【請求項５】
前記指標オブジェクトの属性を変更する変更手段を備え、前記変更手段による前記指標オブジェクトの属性が変更された場合に、変更された前記指標オブジェクトの属性に合わせて、対応する前記同調フィールドのテキストサイズが変更されることを特徴とする請求項１乃至４のいずれか１項に記載の文書処理装置。
【請求項６】
前記探索手段は、前記作成された同調フィールドから最も近い距離に配置されているオブジェクトを前記指標オブジェクトとして探索することを特徴とする請求項１乃至５のいずれか１項に記載の文書処理装置。
【請求項７】
複数のオブジェクトを配置して文書編集を行う文書処理装置における文書処理方法であって、
ページに配置されているいずれかのオブジェクトの属性に合わせてオブジェクトを配置するための同調フィールドを作成する作成ステップと、
前記同調フィールドに対して前記属性を合わせる対象となる指標オブジェクトを前記ページ内から探索する探索ステップと、
前記探索ステップにより探索される指標オブジェクトのテキストサイズが、前記同調フィールドに入力されるテキストに反映された場合、前記テキストサイズが反映された前記同調フィールドのテキストが前記同調フィールドに収まるか否かを判定する判定ステップと、
前記判定ステップにより前記テキストサイズが反映された前記同調フィールドのテキストが前記同調フィールドに収まらないと判定された場合、前記テキストサイズが反映された前記同調フィールドのテキストが前記同調フィールドに収まるように前記同調フィールドのサイズを編集する編集ステップと、
を有することを特徴とする文書処理方法。
【請求項８】
請求項７に記載の文書処理方法をコンピュータに実行させることを特徴とするプログラム。
【発明の詳細な説明】
【技術分野】
【０００１】
本発明は、複数のオブジェクトをページに配置して文書処理を行う文書処理装置における文書処理に関するものである。
【背景技術】
【０００２】
従来、印刷工程におけるレイアウト作成を行うソフトウェアにおいて、テキストデータを配置する枠を作成し、その枠内に体裁を整えながら文書データを配置することで、印刷原稿を作成する工程があった。
【０００３】
また、入稿された電子データの内容を解析し、テキストや画像を認識した単位で一塊のオブジェクトとし、削除・追加・移動などの編集を行うことができた。
【０００４】
これにより、入稿された電子データの修正・変更が行えた。
【０００５】
例えば、顧客毎にテキストや画像を差し替えて印刷をする可変印刷を行う際には、原稿データに含まれるフィールド（枠）に対してテキスト、画像を入力する。
【０００６】
このとき、差し替え用のテキストと原稿データに予め配置されたテキストオブジェクトを一連の文書としたい場合（名前＋様など）、原稿データのテキストに合わせて差し替え用のテキストの位置やフォントを調整しなければならなかった。
【０００７】
従来、位置の調整を行う方法として、位置を合わせたい複数のオブジェクトを選択し、「上揃え」や「左揃え」などの操作を行うことによりオブジェクトの枠に対して位置を揃える方法があった。
【０００８】
また、枠に対して基準を持つのではなく枠内に任意の点を指定することでその点に対してオブジェクトを揃えることもできた。（特許文献１）
【特許文献１】特開平7−105212号公報
【発明の開示】
【発明が解決しようとする課題】
【０００９】
しかしながら、上述した従来の技術ではオブジェクト同士の位置を揃えることは可能だがテキスト属性を揃えることはできなかった。例えば、テキストが入力される複数のフィールドに対して上揃えを設定することにより、各フィールドに入力されるテキストの上位置を揃えることができる。
【００１０】
しかしながら、各フィールドに入力されるテキストのフォントサイズが異なる場合、テキストの下位置が不揃いとなり、ユーザが手作業でフォントサイズを統一化する等の調整をしなければならなかった。
【００１１】
本発明は、上記の課題を解決するためになされたもので、本発明の目的は、入力されるオブジェクトに設定されている属性をページ内に配置されているいずれかのオブジェクトの属性に同調させたデータ処理を行える仕組みを提供することである。
【課題を解決するための手段】
【００１２】
本発明に係る文書処理装置は、以下の特徴的構成を備える。
【００１３】
複数のオブジェクトを配置して文書編集を行う文書処理装置であって、ページに配置されているいずれかのオブジェクトの属性に合わせてオブジェクトを配置するための同調フィールドを作成する作成手段と、前記作成された同調フィールドに対して前記属性を合わせる対象となる指標オブジェクトを前記ページ内から探索する探索手段と、前記探索手段により探索される指標オブジェクトのテキストサイズが前記同調フィールドに入力されるテキストに反映された場合、前記テキストサイズが反映された前記同調フィールドのテキストが前記同調フィールドに収まるか否かを判定する判定手段と、前記判定手段により前記テキストサイズが反映された前記同調フィールドのテキストが前記同調フィールドに収まらないと判定された場合、前記テキストサイズが反映された前記同調フィールドのテキストが前記同調フィールドに収まるように前記同調フィールドのサイズを編集する編集手段と、を有することを特徴とする。
【発明の効果】
【００１４】
本発明によれば、入力されるオブジェクトに設定されている属性をページ内に配置されているいずれかのオブジェクトの属性に同調させたデータ処理を行える。
【発明を実施するための最良の形態】
【００１５】
次に本発明を実施するための最良の形態について図面を参照して説明する。以下、本発明に係る文書処理システムの概要について、図１乃至図１２を参照して以下に説明する。
【００１６】
＜システム構成の説明＞
〔第１実施形態〕
図１は、本発明の第１実施形態を示す文書処理システムのソフトウェアの構成を示す図である。尚、この文書処理システムは、一般のアプリケーションによって作成されたデータファイルを電子原稿ファイルに変換する電子原稿ライタと、その電子原稿ファイルを編集する機能を提供する製本アプリケーションとを含む。
【００１７】
また、製本アプリケーションは、電子原稿ライタにより作成されたデータを一まとめにした文書の作成及び編集を可能とし、その操作性を向上させて文書編集を効率的に行えるものである。また、文書処理システムは、本発明の情報処理装置に好適な実施形態であるコンピュータ１００（以下、ホストコンピュータとも呼ぶ）によって実現されている。
【００１８】
＜システム構成及び動作＞
図１において、一般アプリケーション１０１は、ワードプロセシングやスプレッドシート、フォトレタッチ、プレゼンテーション、テキスト編集などの機能を提供するアプリケーションプログラムであり、ＯＳに対する印刷機能を有している。
【００１９】
これらのアプリケーションは、作成された文書データや画像データなどのアプリケーションデータを印刷する際に、オペレーティングシステム（ＯＳ）によって提供される所定のインタフェース（一般に、ＧＤＩと呼ばれる）を利用する。
【００２０】
即ち、一般アプリケーション１０１は、作成したデータを印刷するために、上述のインタフェースを提供するＯＳの出力モジュールに対して、あらかじめ定められる、ＯＳに依存する形式の出力コマンド（ＧＤＩ関数と呼ばれる）を送信する。
【００２１】
一方、出力コマンドを受けた出力モジュールは、その出力コマンドをプリンタ等の出力デバイスが処理可能な形式に変換して、変換されたコマンド（ＤＤＩ関数と呼ばれる）を出力する。ここで、出力デバイスが処理可能な形式はデバイスの種類やメーカ、機種などによって異なるため、デバイス毎にデバイスドライバが提供されている。
【００２２】
ＯＳでは、そのデバイスドライバを利用してコマンドの変換を行い、印刷データを生成し、ＪＬ（Job Language）でくくることにより印刷ジョブが生成される。
【００２３】
ＯＳとしてマイクロソフト社のウインドウズ（登録商標）を利用する場合には、前述した出力モジュールとしてはＧＤＩ（Graphic Device Interface）と呼ばれるモジュールが相当する。
【００２４】
電子原稿ライタ１０２は、上述のデバイスドライバを改良したものであり、本文書処理システム実現のために提供されるソフトウェアモジュールである。
【００２５】
但し、電子原稿ライタ１０２は、特定の出力デバイスを目的としておらず、詳細は後述する製本アプリケーション１０４やプリンタドライバ１０６により処理可能な形式に出力コマンドを変換する。
【００２６】
この電子原稿ライタ１０２による変換後の形式（以後電子原稿形式と呼ぶ）は、ページ単位の原稿を詳細な書式をもって表現可能であれば特に問わない。実質的な標準形式のうち、例えばアドビシステムズによるＰＤＦ形式やＳＶＧ形式などが電子原稿形式として採用できる。
【００２７】
一般アプリケーション１０１から電子原稿ライタ１０２を利用させる場合には、出力に使用するデバイスドライバとして電子原稿ライタ１０２を指定してから印刷を実行させる。
【００２８】
但し、電子原稿ライタ１０２によって作成されたままの電子原稿ファイルは、電子原稿ファイルとして相応しい形式を備えていない。そのため、デバイスドライバとして電子原稿ライタ１０２を指定するのは製本アプリケーション１０４であり、その管理下でアプリケーションデータの電子原稿ファイルへの変換が実行される。
【００２９】
そして、製本アプリケーション１０４は電子原稿ライタ１０２が生成した新規の電子原稿ファイルを後述する形式を備えた相応しい電子原稿ファイルとして完成させる。
【００３０】
以下、この点を明瞭に識別する必要がある場合、電子原稿ライタ１０２によって作成されたファイルを「電子原稿ファイル」と呼び、製本アプリケーション１０４によって構造を与えられた電子原稿ファイルを「ブックファイル」と呼ぶ。なお、図１において、ブックファイルは、電子原稿ファイル１０３に対応する。
【００３１】
また、特に区別する必要がない場合は、アプリケーションにより生成されるドキュメントファイル、電子原稿ファイル、及びブックファイルをいずれも文書ファイル（または文書データ）と呼ぶ。
【００３２】
このように、電子原稿ライタ１０２を指定し印刷することで、アプリケーションデータは、一般アプリケーション１０１によって定義されたページ（以後論理ページあるいは原稿ページと呼ぶ）を単位とする電子原稿形式に変換される。そして、変換されたアプリケーションデータは、電子原稿ファイル１０３としてハードディスクなどの記憶媒体に格納される。
【００３３】
尚、ハードディスクは、本実施形態の文書処理システムを実現するコンピュータ１００が備えているローカルドライブであっても良く、ネットワークに接続されている場合にはネットワーク上に提供されるドライブであっても良い。
【００３４】
製本アプリケーション１０４は、電子原稿ファイル（あるいはブックファイル）１０３を読み込み、それを編集するための機能を利用者に提供する。
【００３５】
但し、製本アプリケーション１０４は、各ページの内容を編集する機能は提供しておらず、ページを最小単位として構成される、後述する章やブックの構造を編集するための機能を提供している。
【００３６】
製本アプリケーション１０４によって編集されたブックファイル１０３を印刷する際には、製本アプリケーション１０４によって電子原稿デスプーラ１０５が起動される。
【００３７】
電子原稿デスプーラ１０５は、製本アプリケーション１０４と共にコンピュータ内にインストールされるプログラムモジュールである。
【００３８】
電子原稿デスプーラ１０５は、製本アプリケーション１０４で利用するドキュメント（ブックファイル）を印刷する際に、プリンタドライバへ描画データを出力するために使用されるモジュールである。
【００３９】
電子原稿デスプーラ１０５は、指定されたブックファイルをハードディスクから読み出し、ブックファイルに記述された形式で各ページを印刷するために、前述したＯＳの出力モジュールに適合する出力コマンドを生成し、不図示の出力モジュールに出力する。
【００４０】
その際に、出力デバイスとして使用されるプリンタ１０７用のプリンタドライバ１０６がデバイスドライバとして指定される。
【００４１】
上述の出力モジュールは、受信した出力コマンドをデバイスコマンドに変換して指定されたプリンタ１０７用のプリンタドライバ１０６に出力し、そのプリンタドライバ１０６がプリンタ１０７で解釈実行可能なページ記述言語等のコマンドに変換する。
【００４２】
そして、変換されたコマンドは、プリンタドライバ１０６から不図示のシステムスプーラを介してプリンタ１０７に送信され、プリンタ１０７によってコマンドに応じた画像が印刷される。
【００４３】
図２は、図１に示したコンピュータ１００のハードウェアの構成を説明するブロック図である。
【００４４】
図２において、ＣＰＵ２０１は、ＲＯＭ２０３のプログラム用ＲＯＭに記憶された、あるいはハードディスク２１１からＲＡＭ２０２にロードされたＯＳや一般アプリケーション、製本アプリケーションなどのプログラムを実行する。
【００４５】
これにより、図１のソフトウェア構成や、後述するフローチャートの手順を実現する。
【００４６】
ＲＡＭ２０２は、ＣＰＵ２０１の主メモリ、ワークエリア等として機能する。キーボードコントローラ（ＫＢＣ）２０５は、キーボード（ＫＢ）２０９や不図示のポインティングデバイスからのキー入力を制御する。
【００４７】
ＣＲＴコントローラ（ＣＲＴＣ）２０６は、ＣＲＴ２１０の表示を制御する。ディスクコントローラ（ＤＫＣ）２０７は、ブートプログラム、種々のアプリケーション、フォントデータ、ユーザファイル、後述する編集ファイル等を記憶するハードディスク（ＨＤ）２１１やフレキシブルディスク（ＦＤ）等とのアクセスを制御する。なお、２０００はコントローラ部である。
【００４８】
ＰＲＴＣ２０８は、接続されたプリンタ１０７との間の信号の交換を制御する。ＮＣ２１２はネットワークに接続されて、ネットワークに接続された他の機器との通信制御処理を実行する。
【００４９】
＜電子原稿データの形式＞
製本アプリケーション１０４の詳細を言及する前に、ブックファイルのデータ形式について説明する。
【００５０】
ブックファイルは、紙媒体の書物に対応づけ可能な３層の層構造を有する。
【００５１】
まず、上位層は「ブック」と呼ばれ、１冊の本を想定しており、その本全般に係る属性が定義されている。その下の中間層は、本でいう章に相当し、やはり「章」と呼ばれる。各章についても、章毎の属性が定義できる。そして、下位層は「ページ」であり、アプリケーションプログラムで定義された各ページに相当する。
【００５２】
尚、各ページについてもページ毎の属性が定義できる。更に、一つのブックは複数の章を含んでいてよく、また一つの章は複数のページを含むこともできる。
【００５３】
図３は、本実施形態を示す情報処理装置で処理可能な電子原稿データの構造を説明する図である。特に、図３の（Ａ）は、ブックファイルの形式の一例を示す。本例では、ブックファイルにおけるブック，章，ページは、それぞれに相当するノードにより示されている。
【００５４】
一つのブックファイルは一つのブックを含む。ブック，章は、ブックとしての構造を定義するための概念であるから、定義された属性値と下位層へのリンクとをその実体として含む。
【００５５】
ページは、アプリケーションプログラムによって出力されたページ毎のデータを実体として有する。そのため、ページは、その属性値のほかに、原稿ページの実体（原稿ページデータ）と各原稿ページデータへのリンクを含む。
【００５６】
尚、紙媒体等に出力する際の印刷ページは複数の原稿ページを含む場合がある。この構造に関してはリンクによって表示されず、ブック、章、ページ各階層における属性として表示される。
【００５７】
図３の（Ａ）において、ブック３０１には、ブック属性が定義されていると共に、２つの章３０２Ａ，３０２Ｂがリンクされている。このリンクにより、章３０２Ａ，３０２Ｂがブック３０１に包含されていることが表示される。
【００５８】
章３０２Ａには、ページ３０３Ａ，３０３Ｂがリンクされ、これらページが含まれることが示されている。各ページ３０３Ａ，３０３Ｂにはそれぞれ属性値が定義され、その実体である原稿ページデータ（１）、（２）へのリンクが含まれる。同様に、章３０２Ｂには、ページ３０３Ｃ，３０３Ｄがリンクされ、これらページが含まれることが示されている。各ページ３０３Ｃ，３０３Ｄにはそれぞれ属性値が定義され、その実体である原稿ページデータ（３）、（４）へのリンクが含まれる。
【００５９】
これらリンクは、図３の（Ｂ）のように原稿ページデータ３０４のデータ（１），（２）を指し示し、ページ３０３Ａ、３０３Ｂの実体が原稿ページデータ（１）、（２）であることを表示している。
【００６０】
図４は、図３に示すブック属性３０１のリストを示す図である。なお、下位層と重複して定義可能な項目に関しては、下位層の属性値が優先採用される。そのため、ブック属性にのみ含まれる項目に関しては、ブック属性に定義された値はブック全体を通して有効な値となる。
【００６１】
しかし、下位層と重複する項目については、下位層において定義されていない場合における既定値としての意味を有する。尚、図示された各項目は具体的に１項目に対応するのではなく、関連する複数の項目を含むものもある。
【００６２】
図５は、図３に示す章属性のリストを示す図である。また、図６は、図３に示すページ属性のリストを示す図である。章属性とページ属性との関係もブック属性と下位層の属性との関係と同様である。
【００６３】
図４〜図６から明らかなように、ブック属性に固有の項目は、印刷方法、製本詳細、表紙／裏表紙、インデックス紙、合紙、章区切りの６項目である。
【００６４】
これらはブックを通して定義される項目である。印刷方法の属性としては、片面印刷、両面印刷、製本印刷の３つの値を指定できる。ここで、製本印刷とは、別途指定する枚数の用紙を束にして２つ折りにし、その束をつづり合わせることで製本が可能となる形式で印刷する方法である。
【００６５】
製本詳細属性としては、製本印刷が指定されている場合に、見開き方向や、束になる枚数等が指定できる。
【００６６】
表紙／裏表紙属性は、ブックとしてまとめられる電子原稿ファイルを印刷する際に、表紙及び裏表紙となる用紙を付加することの指定、及び付加した用紙への印刷内容の指定を含む。
【００６７】
インデックス紙属性は、章の区切りとして、印刷装置に別途用意される耳付きインデックス紙の挿入の指定及びインデックス（耳）部分への印刷内容の指定を含む。
【００６８】
この属性は、印刷用紙とは別に用意された用紙を所望の位置に挿入するインサート機能を持ったインサータが使用する印刷装置に備えられている場合か、あるいは、複数の給紙カセットを使用可能である場合に有効となる。これは合紙属性についても同様である。
【００６９】
合紙属性は、章の区切りとして、インサータから、あるいは給紙カセットから供給される用紙の挿入の指定、及び合紙を挿入する場合には、給紙元の指定などを含む。
【００７０】
章区切り属性は、章の区切り目において、新たな用紙を使用するか、新たな印刷ページを使用するか、特に何もしないか等の指定を含む。
【００７１】
片面印刷時には、新たな用紙の使用と新たな印刷ページの使用とは同じ意味を持つ。両面印刷時には、「新たな用紙の使用」を指定すれば連続する章が１枚の用紙に印刷されることはないが、「新たな印刷ページの使用」を指定すれば、連続する章が１枚の用紙の表裏に印刷されることがあり得る。
【００７２】
章属性に関しては、章に固有の項目はなく、全てブック属性と重複する。
【００７３】
したがって、章属性における定義とブック属性における定義とが異なれば、章属性で定義された値が優先する。
【００７４】
ブック属性と章属性とにのみ共通する項目は、用紙サイズ、用紙方向、Ｎ−ｕｐ印刷指定、拡大縮小、排紙方法の５項目である。
【００７５】
これらのうち、Ｎ−ｕｐ印刷指定属性は１印刷ページに含まれる原稿ページ数を指定するための項目である。指定可能な配置としては、１×１、１×２、２×２、３×３、４×４などがある。
【００７６】
排紙方法属性は、排出した用紙にステイプル処理を施すか否かを指定するための項目であり、この属性の有効性は使用する印刷装置がステイプル機能を有するか否かに依存する。
【００７７】
ページ属性に固有の項目には、ページ回転属性、ズーム、配置指定、アノテーション、ページ分割などがある。ページ回転属性は、原稿ページを印刷ページに配置する際の回転角度を指定するための項目である。ズーム属性は、原稿ページの変倍率を指定するための項目である。変倍率は、仮想論理ページ領域のサイズを１００％として指定される。仮想論理ページ領域とは、原稿ページを、Ｎｕｐ等の指定に応じて配置した場合に、１原稿ページが占める領域である。
【００７８】
例えば、１×１であれば、仮想論理ページ領域は１印刷ページに相当する領域となり、１×２であれば、１印刷ページの各辺を約７０パーセントに縮小した領域となる。
【００７９】
ブック、章、ページについて共通な属性としては、ウォーターマーク属性及びヘッダ・フッタ属性がある。ここで、ウォーターマークとは、アプリケーションで作成されたデータに重ねて印刷される、別途指定される画像や文字列などである。
【００８０】
ヘッダ・フッタは、それぞれ各ページの上余白及び下余白に印刷されるウォーターマークである。但し、ヘッダ・フッタには、ページ番号や日時など変数により指定可能な項目が用意されている。
【００８１】
尚、ウォーターマーク属性及びヘッダ・フッタ属性において指定可能な内容は、章とページとは共通であるが、ブックはそれらと異なっている。
【００８２】
ブックにおいては、ウォーターマークやヘッダ・フッタの内容を設定できるし、また、ブック全体を通してどのようにウォーターマークやヘッダ・フッタを印刷するかを指定することができる。
【００８３】
一方、章やページでは、その章やページにおいて、ブックで設定されたウォーターマークやヘッダ・フッタを印刷するか否かを指定できる。
【００８４】
＜ブックファイルの生成手順＞
ブックファイルは上述したような構造及び内容を有している。
【００８５】
次に、製本アプリケーション１０４及び電子原稿ライタ１０２によるブックファイルの作成手順について説明する。ブックファイルの作成手順は、製本アプリケーション１０４によるブックファイルの編集操作の一環として実現される。
【００８６】
図７は、本実施形態を示す文書処理装置における第１のデータ処理手順の一例を示すフローチャートである。本例は、図１に示した製本アプリケーション１０４によりブックファイルを開く際の手順に対応する。なお、本願のＳ〜という記載は、フローチャートの各処理ステップを示す。また、本願のフローチャートの各ステップは、図２に示したＣＰＵ２０１がＲＡＭ２０２に製本アプリケーション１０４をロードして実行することで実現される。
【００８７】
まず、Ｓ７０１で、製本アプリケーション１０４は、開こうとするブックファイルが、新規作成すべきものであるか、それとも既存のものであるか判定する。ここで、製本アプリケーション１０４が新規作成であると判定した場合には、Ｓ７０２で、製本アプリケーション１０４は、章を含まないブックファイルを新規に作成して、Ｓ７０４へ進む。
【００８８】
なお、新規に作成されるブックファイルは、図３の例で示せば、ブック３０１のみ有し、章のノードに対するリンクが存在しないブックのノードとなる。ブック属性は、新規作成用としてあらかじめ用意された属性のセットが適用される。
【００８９】
そして、Ｓ７０４で、新規ブックファイルを編集するためのユーザインタフェース（ＵＩ）画面を表示して、処理を終了する。
【００９０】
図１１は、図２に示すＣＲＴ２１０に表示されるユーザインタフェースを説明する図である。本例は、新規にブックファイルが作成された際のＵＩ画面の一例である。この場合は、ブックファイルは実質的な内容を持たないため、ＵＩ画面１１００には何も表示されない。
【００９１】
一方、Ｓ７０１で、製本アプリケーション１０４が既存のブックファイルであると判定した場合は、指定されたブックファイルを開き（Ｓ７０３）、ブックファイルの構造、属性、内容に従ってユーザインタフェース（ＵＩ）画面を表示（Ｓ７０４）して、本処理を終了する。
【００９２】
図１０は、図２に示すＣＲＴ２１０に表示されるユーザインタフェースを説明する図である。本例は、既存のブックファイルから指定されたブックファイルを表示するＵＩ画面の一例である。
【００９３】
図１０において、ＵＩ画面１１００は、ブックの構造を示すツリー部１１０１と、印刷された状態を表示するプレビュー部１１０２とを含む。ツリー部１１０１には、ブックに含まれる章、各章に含まれるページが図３に示す（Ａ）のような木構造で表示される。
【００９４】
ツリー部１１０１に表示されるページは原稿ページである。また、プレビュー部１１０２には、印刷ページの内容１１０３が縮小されて表示される。その表示順序は、ブックの構造を反映したものとなっている。
【００９５】
さて、開かれたブックファイルには、電子原稿ライタ１０２によって電子原稿ファイルに変換されたアプリケーションデータを、新たな章として追加することができる。この機能を電子原稿インポート機能と呼ぶ。
【００９６】
図７に示す手順によって新規に作成されたブックファイルに電子原稿をインポートすることで、そのブックファイルには実体が与えられる。
【００９７】
この機能は、図１０に示すＵＩ画面にアプリケーションデータをドラッグアンドドロップ操作することで起動される。
【００９８】
図８は、本実施形態を示す文書処理装置における第２のデータ処理手順の一例を示すフローチャートである。本例は、図１に示した電子原稿ライタ１０２による電子原稿のインポート処理手順の例である。
【００９９】
まず、Ｓ８０１で、指定されたアプリケーションデータを生成したアプリケーションプログラムを起動し、デバイスドライバとして電子原稿ライタ１０２を指定してアプリケーションデータを印刷出力させることで、電子原稿データに生成する。そして、電子原稿データの生成を終えたなら、Ｓ８０２で、電子原稿ライタ１０２は、生成されたデータが画像データであるか否かを判定する。この判定は、ウインドウズＯＳの下であれば、アプリケーションデータのファイル拡張子に基づいて行われる。
【０１００】
例えば、拡張子が「ｂｍｐ」であればウインドウズビットマップデータであり、「ｊｐｇ」であればｊｐｅｇ圧縮された画像データ、「ｔｉｆｆ」であればｔｉｆｆ形式の画像データであると判定できる。
【０１０１】
また、このような画像データの場合はＳ８０１のようにアプリケーションを起動せずに、画像データから直接電子原稿ファイルを生成することが可能であるため、Ｓ８０１の処理を省略することも可能である。
【０１０２】
ここで、電子原稿ライタ１０２が画像データでないと判断した場合には、Ｓ８０３へ進み、電子原稿ライタ１０２は、Ｓ８０１で生成された電子原稿ファイルを、現在開かれているブックファイルのブックに、新たな章として追加して、本処理を終了する。
【０１０３】
ここで、章属性としては、ブック属性と共通するものについてはブック属性の値がコピーされ、そうでないものについては、あらかじめ用意された規定値に設定される。
【０１０４】
また、Ｓ８０２で、電子原稿ライタ１０２が画像データであると判断した場合は、Ｓ８０４へ進む。そして、Ｓ８０４で、電子原稿ライタ１０２は、原則として新たな章は追加されず、指定されている章に、Ｓ８０１で生成された電子原稿ファイルに含まれる各原稿ページを追加して、本処理を終了する。
【０１０５】
但し、ブックファイルが新規作成されたファイルであれば、新たな章が作成されて、その章に属するページとして電子原稿ファイルの各ページが追加される。
【０１０６】
ページ属性は、上位層の属性と共通のものについてはその属性値が与えられ、アプリケーションデータにおいて定義された属性を電子原稿ファイルに引き継いでいるものについてはその値が与えられる。
【０１０７】
例えば、Ｎｕｐ指定などがアプリケーションデータにおいて指定されていた場合には、その属性値が引き継がれる。このようにして、新規なブックファイルが作成され、あるいは、新規な章が追加される。
【０１０８】
図９は、本実施形態を示す文書処理装置における第３のデータ処理手順の一例を示すフローチャートである。本例は、図８に示すＳ８０１において、電子原稿ライタ１０２により電子原稿ファイルを生成させる手順の例である。
【０１０９】
まず、Ｓ９０１で、電子原稿ライタ１０２は、新たな電子原稿ファイルを作成してそれを開く。次に、Ｓ９０２で、電子原稿ライタ１０２は、指定したアプリケーションデータに対応するアプリケーションを起動し、電子原稿ライタ１０２をデバイスドライバとしてＯＳの出力モジュールに対して出力コマンドを送信させる。出力モジュールは、受信した出力コマンドを電子原稿ライタ１０２によって電子原稿形式のデータに変換し、出力する。なお、その出力先はＳ９０１で開いた電子原稿ファイルである。
【０１１０】
次に、Ｓ９０３で、電子原稿ライタ１０２は、指定されたデータ全てについて変換が終了したか判定する。ここで、電子原稿ライタ１０２がデータ全てについて変換が終了していると判定した場合は、Ｓ９０４で、電子原稿ライタ１０２は、電子原稿ファイルを閉じて、本処理を終了する。一方、電子原稿ライタ１０２がデータ全てについて変換が終了していないと判定した場合は、Ｓ９０２へ戻る。
【０１１１】
なお、電子原稿ライタ１０２によって生成される電子原稿ファイルは、図３の（Ｂ）に示される原稿ページデータの実体を含むファイルである。
【０１１２】
＜ブックファイルの編集＞
以上のようにして、アプリケーションデータからブックファイルを作成することができる。生成されたブックファイルについては、章及びページに対して次のような編集操作（１）〜（１２）が可能である。
【０１１３】
（１）新規追加、（２）削除、（３）コピー、（４）切取り、（５）貼付け、（６）移動、（７）章名称変更、（８）ページ番号名称振り直し、（９）表紙挿入、（１０）合紙挿入、（１１）インデックス紙挿入、（１２）各原稿ページに対するページレイアウト。
【０１１４】
このほか、一旦行った編集操作を取り消す操作や、更に取り消した操作をやり直す操作が可能である。
【０１１５】
これら編集機能により、例えば複数のブックファイルの統合、ブックファイル内で章やページの再配置、ブックファイル内で章やページの削除、原稿ページのレイアウト変更、合紙やインデックス紙の挿入などの編集操作が可能となる。
【０１１６】
これらの操作を行うと、図４、図５に示す属性に操作結果が反映、あるいはブックファイルの構造に反映される。例えば、ブランクページの新規追加操作を行えば、指定された箇所にブランクページが挿入される。
【０１１７】
このブランクページは原稿ページとして扱われる。また、原稿ページに対するレイアウトを変更すれば、その変更内容は、印刷方法やＮ−ｕｐ印刷、表紙／裏表紙、インデックス紙、合紙、章区切りといった属性に反映される。
【０１１８】
＜ブックファイルの出力＞
以上のように作成・編集されるブックファイルは、印刷出力を最終目的とするものである。
【０１１９】
ここで、利用者が図１０に示した製本アプリケーションのＵＩ画面１１００からファイルメニューを選択し、そこから印刷を選択すると、指定した出力デバイスにより印刷出力される。
【０１２０】
この際、まず製本アプリケーション１０４は、現在開かれているブックファイルからジョブチケットを作成し、そのジョブチケットを電子原稿デスプーラ１０５に渡す。
【０１２１】
一方、電子原稿デスプーラ１０５は、ジョブチケットをＯＳの出力コマンド、例えばウインドウズのＧＤＩ関数に変換し、それを出力モジュール、例えばＧＤＩに送信する。出力モジュールは、指定されたプリンタドライバ１０６によってデバイスに適したコマンドを生成し、そのデバイスに送信する。
【０１２２】
ここで、ジョブチケットは原稿ページを最小単位とする構造を有するデータである。ジョブチケットにおける構造は、用紙上における原稿ページのレイアウトを定義している。ジョブチケットは、１ジョブにつき１つ発行される。そのため、まず最上位にドキュメントというノードがあり、文書全体の属性、例えば両面印刷／片面印刷などが定義されている。その下には、用紙ノードが属し、用いるべき用紙の識別子やプリンタにおける給紙口の指定などの属性が含まれる。各用紙ノードには、その用紙で印刷されるシートのノードが属する。
【０１２３】
１シートは１枚の用紙に相当する。各シートには、印刷ページ（物理ページ）が属する。片面印刷ならば１シートには１物理ページが属し、両面印刷ならば１シートに２物理ページが属する。各物理ページには、その上に配置される原稿ページが属する。
【０１２４】
また、物理ページの属性として、原稿ページのレイアウトが含まれる。
【０１２５】
電子原稿デスプーラ１０５は、上述のジョブチケットを、出力モジュールへの出力コマンドに変換する。
【０１２６】
＜そのほかのシステム構成＞
本実施形態の文書処理システムの概要は以上のようなものである。これはスタンドアロン型のシステムであるが、これを拡張したサーバクライアントシステムでもほぼ同様の構成・手順でブックファイルを作成・編集できる。但し、ブックファイルや印刷処理はサーバによって管理される。
【０１２７】
図１２は、本実施形態を示す文書処理システムの構成を示すブロック図である。なお、本例は、サーバクライアント型文書処理システムの構成例である。なお、図１と同一のものには同一の符号を付してある。
【０１２８】
クライアント文書処理システムは、スタンドアロン型システムに、クライアントモジュールであるＤＯＭＳ（Document Output Management Service：文書出力管理サービス）ドライバ１０９を備える。
【０１２９】
その他に、ＤＯＭＳプリントサービス１１０、ＤＳ（文書サービス）クライアント１０８を加えた構成を有する。
【０１３０】
このクライアント文書処理システム１２００に文書管理サーバ１２０１、印刷集中管理サーバ１２０２及びプリントサーバ１２０３が接続されている。
【０１３１】
これらサーバは、通常ネットワークによってクライアント文書処理システムと接続されるが、サーバが同時にクライアントとしても機能する場合には、ネットワーク間の通信をシミュレートするプロセス間通信によって接続される。
【０１３２】
尚、図１２に示す例では、文書管理サーバ１２０１と印刷集中管理サーバ１２０２の両方のサーバがクライアントに接続されているが、いずれか一方のみネットワーク上に存在する場合もあり得る。
【０１３３】
例えば、接続されているサーバが文書管理サーバであれば、そのＤＳクライアント１０８を含む文書管理サーバクライアントシステム１２０１ＳＣがスタンドアロン型文書管理システムに追加される。
【０１３４】
また、印刷集中管理サーバ１２０２であれば、そのクライアントモジュールを含む印刷管理サーバクライアントシステム１２０２ＳＣが、スタンドアロン型文書管理システムに追加される。
【０１３５】
文書管理サーバ１２０１は、製本アプリケーション１０４により作成・編集されたブックファイルを格納するサーバである。文書管理サーバ１２０１によってブックファイルを管理する場合、ブックファイルはクライアントＰＣのローカルＨＤに代わって、あるいはそれに加えて、文書管理サーバ１２０１のデータベース１２１１に保存される。
【０１３６】
製本アプリケーション１０４と文書管理サーバ１２０１との間のブックファイルの保存及び読み出しは、ＤＳクライアント１０８及びＤＳコア１２１２を介して行われる。
【０１３７】
印刷集中管理サーバ１２０２は、クライアント文書処理システム１２００に格納された、あるいは文書管理サーバ１２０１に格納されたブックファイルの印刷を管理するサーバである。
【０１３８】
クライアントにおける印刷要求は、ＤＯＭＳドライバ１０９及びＤＯＭＳプリントサービスモジュール１１０を介して印刷集中管理サーバ１２０２のＤＯＭＳＷＧサーバモジュール１２２１に送信される。
【０１３９】
印刷集中管理サーバ１２０２は、クライアントのプリンタで印刷する場合にはクライアントのＤＯＭＳプリントサービスモジュール１１０を介して電子原稿デスプーラ１０５に電子原稿データを渡す。
【０１４０】
プリントサーバ１２０３により印刷する場合には、プリントサーバ１２０３のＤＯＭＳプリントサービスモジュール１２０３に送信する。印刷集中管理サーバは、例えば保存されているブックファイルに対して印刷要求を発行した利用者の資格などについてセキュリティチェックを行ったり、印刷処理のログを保存したりする。
【０１４１】
このように、文書処理システムは、スタンドアロンとしても、クライアントサーバシステムとしても実現できる。
【０１４２】
＜プレビュー表示の内容＞
すでに説明したとおり、ブックファイルが製本アプリケーション１０４によって開かれると、図１０に示したユーザインタフェース画面１１００がＣＲＴ２１０上に表示される。
【０１４３】
ツリー部１１０１には、開いているブック（以下、「注目ブック」と呼ぶ）の構造を示すツリーが表示される。
【０１４４】
プレビュー部１１０２には、利用者の指定に応じて、３通りの表示方法が用意されている。
【０１４５】
まず、第１は原稿ページをそのまま表示する原稿ビューと呼ばれるモードである。この原稿ビューモードでは、注目ブックに属する原稿ページの内容が縮小されて表示される。
【０１４６】
尚、プレビュー部１１０２の表示にレイアウトは反映されない。
【０１４７】
次に、第２は印刷ビューモードである。この印刷ビューモードでは、プレビュー部１１０２には原稿ページのレイアウトが反映された形で原稿ページが表示される。そして、第３は簡易印刷ビューモードである。
【０１４８】
この簡易印刷ビューモードでは、各原稿ページの内容はプレビュー部の表示には反映されず、レイアウトのみが反映される。
【０１４９】
＜ステイプル制御＞
次に、ステイプル機能を有するプリンタと接続するコンピュータ１００の製本アプリケーション１０４によって行われるステイプル制御について説明する。
【０１５０】
図１３は、本実施形態を示す文書処理システムの一例を示すブロック図である。本例は、ステイプル制御システムの例であって、図示するように、図２に示したホストコンピュータ１００とステイプル機能を有するプリンタ１０７とで構成される。なお、図２と同一のものには同一の符号を付してある。
【０１５１】
以下、プリンタ１０７の構成について説明する。尚、本発明の機能が実現されるのであれば、単体の機器であっても、複数の機器からなるシステムであっても、ＬＡＮ，ＷＡＮ等のネットワークを介して接続がなされ、処理が行われるシステムであっても本発明を適用できる。
【０１５２】
図示するように、プリンタ１０７において、１３０１はプリンタＣＰＵ（ＣＰＵ）である。制御プログラムは、ＲＯＭ１３０２内のプログラム用ＲＯＭや外部メモリ１３０３に記憶される。
【０１５３】
そして、制御プログラム等に基づいてシステムバス１３０４に接続される印刷部Ｉ／Ｆ１３０５を介して、印刷部（プリンタエンジン）１３０６に出力情報としての画像信号を出力する。
【０１５４】
また、このＲＯＭ１３０２内のプログラムＲＯＭには、ＣＰＵ１３０１の制御プログラム等が記憶され、ＲＯＭ１３０２内のフォント用ＲＯＭには、出力情報を生成する際に使用するフォントデータ等が記憶される。
【０１５５】
また、ＲＯＭ１３０２内のデータ用ＲＯＭには、ハードディスク等の外部メモリ１３０３がないプリンタの場合、ホストコンピュータ１００上で利用される情報等が記憶されている。
【０１５６】
また、ＣＰＵ１３０１は、入力部１３０７を介してホストコンピュータ１００との通信処理が可能となっており、プリンタ１０７内の情報等をホストコンピュータ１００に通知できる。
【０１５７】
ＲＡＭ１３０８は、ＣＰＵ１３０１の主メモリや、ワークエリア等として機能するＲＡＭであり、図示しない増設ポートに接続されるオプションＲＡＭによりメモリ容量を拡張することができるように構成されている。
【０１５８】
尚、ＲＡＭ１３０８は、出力情報展開領域、環境データ格納領域、ＮＶＲＡＭ等に用いられる。上述したハードディスク（ＨＤ）、ＩＣカード等の外部メモリ１３０３は、メモリコントローラ（ＭＣ）１３０９によりアクセスを制御される。
【０１５９】
外部メモリ１３０３は、オプションとして接続され、フォントデータ、エミュレーションプログラム、フォームデータ等を記憶する。
【０１６０】
また、操作部１３１１は操作のためのスイッチ及びＬＥＤ表示器等で構成されている。
【０１６１】
また、上述の外部メモリ１３０３は１個に限らず、複数個備えられ、内蔵フォントに加えてオプションカード、言語系の異なるプリンタ制御言語を解釈するプログラムを格納した外部メモリを複数接続できるように構成されていても良い。
【０１６２】
更に、図示しないＮＶＲＡＭを有し、操作部１３１１からのプリンタモード設定情報を記憶するようにしても良い。
【０１６３】
＜可変印刷＞
製本アプリケーション１０４は、生成したブックファイルのページ属性として、可変印刷を実行するための可変フィールドの設定を行うことが可能である。以下、可変印刷について説明する。
【０１６４】
図４４は、本実施形態を示す文書処理システムにおける可変印刷のページレイアウト例を示す図である。
【０１６５】
図４４において、４４００は原稿ページ、４４０１は可変印刷を実行するための可変フィールドを指名している。可変フィールドは、原稿ページ上に複数配置されても良い。可変フィールドの中に、接続したデータベースからデータを差し込み、カスタマイズして印刷を行う。
【０１６６】
４４０２はデータベースで、可変フィールド４４０１に差し込み可能なデータを管理している。
【０１６７】
データベース４４０２には、レコードと呼ばれる識別子があり、このレコード単位で原稿ページに対してデータを差し替える。
【０１６８】
この例では、データベース４４０２は、Ｒ１〜Ｒ４の４レコードのデータを管理する。また、データベース４４０２の各レコードは、テキストのデータ４４０３とイメージのデータ４４０４を含む。
【０１６９】
この例では、原稿ページ１ページ目に設定されている可変フィールドにはテキストのデータ４４０３、原稿ページ２ページ目に設定されている可変フィールドにはイメージのデータ４４０４を差し込むように設定されているものとする。可変フィールドの設定や、データベースデータとの関連の設定については、後述する。
【０１７０】
４４０５は実際にデータベースのデータが差し込まれた原稿ページの例を示している。レコードＲ１が差し込まれると、原稿ページ1ページ目にはレコードＲ１のテキストデータ"ＡＡＡ"４４０６が差し込まれて原稿ページがレイアウトされる。
【０１７１】
また、原稿ページ２ページ目にはイメージデータ（飛行機のイメージ４４０７）が差し込まれて原稿ページがレイアウトされる。
【０１７２】
また、レコードＲ２が差し込まれると、原稿ページ１ページ目にはレコードＲ２のテキストデータ"ＢＢＢ"４４０８が差し込まれ、原稿ページ２ページ目にはイメージデータ（トラックのイメージ４４０９）が差し込まれて原稿ページがレイアウトされる。なお、レコードＲ３、Ｒ４も同様に、データ４４１０から４４１３が各ページにレイアウトされる。
【０１７３】
原稿ページ３ページ目については、可変フィールドが設定されていないので、データの差し込みは実行されない。しかし、データの差し込みは実行されなくても、全てのレコードに対して原稿ページ３ページ目は印刷される。このように、可変印刷を行うと、原稿ページ×レコード数分の印刷が行われることとなる。
【０１７４】
図４５Ａ，図４５Ｂは、図２に示すＣＲＴ２１０に表示されるユーザインタフェースの一例を示す図である。
【０１７５】
なお、図４５Ａは、前述した可変印刷の設定を行う可変印刷エディタのＵＩ例を示している。この可変印刷エディタは、製本アプリケーション１０４から起動され、ブックファイルの論理ページ単位で設定を行うことが可能である。
【０１７６】
図４５Ａにおいて、４５００は可変印刷エディタの全体ＵＩを示している。可変印刷エディタが起動されると全体ＵＩが表示される。４５０１は可変印刷エディタのウインドウを最小化、最大化、閉じることができるボタンを示している。４５０２は可変印刷エディタの各種編集操作を行うメニューバーを示している。４５０３は可変印刷エディタのツールボタンを示している。
【０１７７】
４５０４はスクロールバーを示しており、可変印刷エディタで原稿ページを表示しきれない場合に表示され、ウインドウ全体をスクロールして原稿ページ全体を編集することを可能にする。
【０１７８】
４５０５は可変印刷エディタのグラブコントロールを示しており、マウスポインタを使ってウインドウサイズを任意に変更することを可能にする。
【０１７９】
４５０６は可変印刷エディタで編集している原稿ページを示している。
【０１８０】
４５０７は原稿ページ上に描画されているオブジェクトである。可変印刷エディタでは前述した可変フィールドの設定のみを機能として持つので、他の原稿ページ上のオブジェクトを編集できない。
【０１８１】
４５０８はテキストデータを差し込むテキスト可変フィールドを示している。４５０９はイメージデータを差し込むイメージ可変フィールドを示している。
【０１８２】
本実施形態ではテキスト可変フィールド、イメージ可変フィールドを区別せずに指し示すときに可変フィールドという言葉を用いている。
【０１８３】
これらのフィールドはメニュー４５０２やツールボタン４５０３で可変フィールド作成機能を選択して、マウスカーソルで矩形を描画することにより、同調フィールド又は通常フィールドのためのフィールドを作成することが可能である。
【０１８４】
図４５Ｂは、可変フィールドへ差し込まれるデータを設定するために接続するデータベースへの接続方法を示すＵＩ例である。
【０１８５】
図４５Ｂにおいて、４５１０は接続ダイアログである。４５１１は、接続ダイアログ４５１０を閉じるボタンを示している。接続ダイアログ４５１０は、メニュー４５０２やツールボタン４５０３を選択することで表示される。
【０１８６】
４５１２はデータベースへの接続を設定するエリアである。すでに接続されていれば、接続中のデータベースファイル名が表示される。未接続であれば空白である。接続を行うときは、参照ボタン４５１３を押下し、データベースファイル参照ダイアログ等を表示させ、データベースファイルを指定する。
【０１８７】
データベースへ接続中に参照ボタンで他のデータベースファイルを選択したときは、選択したデータベースへ接続を切り替える。
【０１８８】
語述する４５１４〜４５１９はデータベースに接続中に有効になるコントロールであり、接続中のデータベースの内容を示すためのものである。
【０１８９】
４５１４は接続しているデータベースのレコードを移動させるレコード移動ボタンである。４５１５は接続しているデータベースの総レコード数と、現在内容を表示しているレコード番号を示すものである。
【０１９０】
４５１６は接続しているデータベースに設定されているカラム名を示している。カラム名はデータベースの各レコードデータがどのような属性を持っているかを示すもので、図４５Ｂの例では、"名前"と"イメージ"４５１７という属性を持ったデータベースであることを示している。
【０１９１】
４５１８は接続しているデータベースの各レコードのカラム名に対する値（データ）を示している。図４５Ｂでは、１レコード目のデータは"名前"という属性に対して"ＡＡＡ"、"イメージ"という属性に対して"ＸＸＸＸ．ｂｍｐ"という値を持っていることを示す。
【０１９２】
レコード移動ボタン４５１４でレコードを移動すると、データ４５１９の内容も移動したレコード番号に合わせて変化する。４５２０はＯＫボタンで、接続ダイアログ４５１０で設定した内容を確定する場合に押下される。
【０１９３】
４５２１はキャンセルボタンで、設定内容を反映せずに終了する場合に押下される。
【０１９４】
図４６Ａ，図４６Ｂは、図２に示すＣＲＴ２１０に表示されるユーザインタフェースの一例を示す図である。
【０１９５】
図４６Ａにおいて、テキスト可変フィールド４６００へは前述した"名前"というカラムが設定されている。
【０１９６】
設定方法としては、テキスト可変フィールドのプロパティなどで、接続しているデータベースのカラムを設定できるようにすれば良い。
【０１９７】
また、テキスト可変フィールド４６００へ設定できるデータベースのカラムの数は複数であっても良い。
【０１９８】
イメージ可変フィールド４６０１へは前述した"イメージ"というカラムが設定されている。設定方法としては、イメージ可変フィールドのプロパティなどで、接続しているデータベースのカラムを設定できるようにすれば良い。イメージ可変フィールド４６０１へ設定できるデータベースのカラムの数は単数である。
【０１９９】
図４６Ｂは、設定した内容をプレビューしたときのＵＩ例である。プレビューでは、可変フィールドへ設定したデータベースデータが差し込まれた状態が確認できる。
【０２００】
図４６Ｂにおいて、４６０２は、図４６Ａで示したテキスト可変フィールド４６００へ"名前"のカラムの値"ＡＡＡ"が差し込まれた状態を示している。
【０２０１】
また、４６０３は、図４６Ａで示したイメージ可変フィールド４６０１へ"イメージ"のカラムの値"電車のイメージ"が差し込まれた状態を示している。
【０２０２】
４６０４はデータベースのレコードを移動するレコード移動ボタンである。このレコード移動ボタン４６０４を使ってレコード移動を行い、それぞれのレコードのデータをプレビューすることができる。
【０２０３】
なお、可変印刷は製本アプリケーション１０４の印刷ダイアログで印刷時にＯＮ／ＯＦＦの指定を可能とする。したがって、印刷ダイアログで可変印刷をしないということを指定すれば、可変印刷エディタで設定した内容は反映せずに印刷することができる。
【０２０４】
＜ブックファイル編集機能＞
製本アプリケーション１０４は、生成されたブックファイルに対して、文章・画像の編集を行うことを可能とする原稿エディタを備える。
【０２０５】
前記原稿エディタは、製本アプリケーション１０４から起動され、ブックファイルを論理ページ毎に編集することが可能である。
【０２０６】
図１５は、本実施形態を示す文書処理装置における第４のデータ処理手順の一例を示すフローチャートである。本例は、製本アプリケーション１０４にて、選択された原稿ファイルに対して原稿エディタの起動フローを示している。
【０２０７】
まず、Ｓ１５０１で、製本アプリケーション１０４は、選択された原稿ファイルに対してメニューをＣＲＴ２１０に表示させる。
【０２０８】
次に、Ｓ１５０２で、製本アプリケーション１０４は、Ｓ１５０１において表示されたメニューより"原稿エディタ"が選択されたことを認識し、Ｓ１５０３で、原稿エディタを起動することによりＣＲＴ２１０にメイン画面を表示して、本処理を終了する。
【０２０９】
図１４は、図２に示すＣＲＴ２１０に表示されるユーザインタフェースの一例を示す図である。本例は、製本アプリケーション１０４から、原稿エディタを起動するＵＩ例を示している。
【０２１０】
図１４において、１４０１は製本アプリケーションＵＩ、１４０２はインポートされた原稿ファイルである。
【０２１１】
１４０３はポップアップメニューで、原稿ファイル選択時に表示される。１４０４はマウスポインタを示している。原稿エディタの起動は、インポートされた原稿ファイルをマウスポインタで選択し、ポップアップメニュー１４０３を表示させ、メニュー内の"原稿エディタ"を選択することで実行される。
【０２１２】
次に、原稿エディタで行える編集機能について説明をする。
【０２１３】
図１６は、図２に示すＣＲＴ２１０に表示されるユーザインタフェースの一例を示す図である。本例は、原稿エディタの全体ＵＩを示している。
【０２１４】
図１６において、１６０１は原稿エディタＵＩ、１６０２はメニューバー、１６０３はツールボタン、１６０４はページ移動ボタン、１６０５はズーム指定ボックスを示す。
【０２１５】
１６０６は編集対象の原稿ファイルを示している。１６０７はテキストオブジェクトを示している。１６０８，１６０９は図形オブジェクトを示している。１６１０は直線オブジェクトを示している。
【０２１６】
[テキスト編集機能]
図１７は、図２に示すＣＲＴ２１０に表示されるユーザインタフェースの一例を示す図である。本例は、テキストオブジェクトの選択の例を示している。
【０２１７】
図１７において、１７０１はテキストオブジェクト、１７０２はオブジェクトのコントロールハンドル、１７０３はマウスポインタを示している。
【０２１８】
マウスポインタ１７０３で原稿ファイル内のテキスト上を選択すると、選択されたテキストがオブジェクトとして選択状態となる。選択状態になったオブジェクトにはコントロールハンドル１７０２が表示され、選択されたことをユーザに示す。
【０２１９】
テキストオブジェクトは、選択して移動・削除・テキスト属性の変更・テキストの追加・削除される。
【０２２０】
図１８は、本実施形態を示す文書処理装置における第５のデータ処理手順の一例を示すフローチャートである。本例は、原稿エディタによるテキスト編集フローを示している。
【０２２１】
まず、Ｓ１８０１で、ユーザのマウス操作に基づいて、マウスポインタ１７０３で選択された原稿ファイル内のテキストを、テキストオブジェクトとして抽出する。
【０２２２】
次に、Ｓ１８０２で、原稿エディタは、抽出されたテキストオブジェクトに対する編集要求を判別して、Ｓ１８０３〜Ｓ１８０６で、テキストの追加、テキストの削除、テキスト属性の変更、テキストオブジェクトの移動・削除などの編集を実行する。
【０２２３】
図１９〜図２１は、図２に示すＣＲＴ２１０に表示されるユーザインタフェースの一例を示す図である。図１９の例は、原稿エディタによるテキスト追加の編集例を示している。
【０２２４】
以下、図１７に示したテキストオブジェクト１７０１についてテキストの追加を行う例を図１９に基づいて説明する。
【０２２５】
図１９において、選択状態になっているテキストオブジェクトを再度マウスポインタ１９０３で選択すると、テキストオブジェクトが矩形１９０１で囲まれ、編集カーソル１９０２が表示される。テキストを追加する位置にカーソルを移動させ、文字を入力すると、テキストオブジェクトに入力した文字が追加される。
【０２２６】
図１９では、"日本語のテスト"のテストの前に"テスト"を追加したときの例を示している。
【０２２７】
図２０は、テキスト削除の例を示している。
【０２２８】
図１７のテキストオブジェクト１７０１についてテキストの削除を行う。テキスト追加と同様の方法でテキストオブジェクトが矩形で囲まれ、編集カーソル２００１が表示されている状態にする。その状態で、バックスペースキーや削除を実行すると、編集カーソルの前の文字が削除される。
【０２２９】
テキスト属性の編集について、各テキストオブジェクト内のテキストは属性を持っており、その属性についても編集することが可能である。テキスト属性には、フォント・スタイル・サイズ・色・文字装飾・文字間隔・水平スケーリング率・単語間隔などがある。それぞれの意味、設定方法については、公知であるため説明は省略する。
【０２３０】
[テキストボックス編集機能]
前述したテキストオブジェクトは１行に限定された編集であったが、原稿エディタは複数行のテキストを新規に作成する機能を有する。複数行のテキストを作成する際には、テキストボックスを用いる。
【０２３１】
図２２は、本実施形態を示す文書処理装置における第６のデータ処理装置を示すフローチャートである。本例は、テキストボックス編集のフローを示している。
【０２３２】
まず、Ｓ２２０１で、原稿エディタは、テキストボックス作成モードへ遷移し、Ｓ２２０２で、テキストボックスを生成する。
【０２３３】
次に、Ｓ２２０３で、原稿エディタは、編集処理を終了したかどうかを判断する。ここで、原稿エディタが編集要求内容を判断して、Ｓ２２０４で、テキストオブジェクトの編集（この編集は前述した１行テキストの編集操作と同じ）を行い、Ｓ２２０３に戻る。
【０２３４】
同様に、Ｓ２２０５で、原稿エディタは、Ｓ２２０３の編集内容の判断結果に基づいて、テキストボックス属性の編集を行い、Ｓ２２０３に戻る。
【０２３５】
同様に、Ｓ２２０６で、原稿エディタは、Ｓ２２０３の編集内容の判断結果に基づいて、テキストボックスの移動・削除などの編集を施し、Ｓ２２０３へ戻る。
【０２３６】
そして、Ｓ２２０３で、原稿エディタが編集処理を終了したと判断した場合は、本処理を終了する。
【０２３７】
図２１に示すＵＩ画面の例では、テキストボックス作成の例を示している。
【０２３８】
図２１において、原稿ファイル１６０６上にテキストボックス作成モードで、マウスポインタ１９０３を用いて矩形を描画すると、テキストボックス２１０１が作成される。作成されたテキストボックス２１０１には、コントロールハンドル２１０２が表示される。コントロールハンドル２１０２をマウスポインタでドラッグすることにより、ボックスのリサイズが可能である。
【０２３９】
図２３は、図２に示すＣＲＴ２１０に表示されるユーザインタフェースの一例を示す図である。本例は、前述したテキストボックス２１０１内にテキストを追加する例を示している。
【０２４０】
図２３において、テキストボックス２１０１に"テキストボックステスト。複数行"というテキスト２３０１を追加した例を示している。
【０２４１】
また、選択状態のテキストボックス２１０１を再度マウスポインタで選択すると、テキストオブジェクト編集の時と同様に、ボックス内に編集カーソルが表示される。
【０２４２】
その状態で、テキストを入力することにより、テキストボックス２１０１にテキストを追加、削除することが可能である。
【０２４３】
なお、テキストボックス及びテキストボックス内のテキストについてもテキストオブジェクトと同様に属性を編集することが可能である。
【０２４４】
[同調フィールドの作成]
図２４Ａは、図２に示すＣＲＴ２１０に表示されるユーザインタフェースとの一例を示す図である。本例は、選択したテキストオブジェクトのテキスト属性を周囲のテキストオブジェクトと同一となるように設定される同調フィールドを作成するためのユーザインタフェースの例である。以下、図２４Ａ〜図２４Ｃ、図２５を参照して、図２４Ａに示すＵＩ画面の表示例を説明する。
【０２４５】
図２４Ｂ、図２４Ｃは、本実施形態を示す文書処理装置における文書編集処理を説明する概略図である。
【０２４６】
本実施形態では、図２４Ｂに示すように、図２４Ａのプロパティ画面で、チェックボックスＣＢにチェックが入ると、製本アプリケーション１０４により当該フィールドは、同調フィールドＦ１２として作成される。
【０２４７】
そして、後述する指標オブジェクトの探索処理で、指標オブジェクトＦ１３が探索されると、製本アプリケーション１０４は、指標オブジェクトＦ１３の属性を、同調フィールドＦ１２内のオブジェクトＴＯＪＢ１に反映させる同調処理を実行する。
【０２４８】
これにより、同調フィールドＦ１２内のオブジェクトＴＯＪＢ１は、指標オブジェクトＦ１３に合わせて、フォント属性、フィールド位置が調整され、オブジェクトＴＯＪＢ２として表示される。
【０２４９】
なお、図２４Ａのプロパティ画面で、チェックボックスＣＢがチェックされない場合、作成されるフィールドは、図２４Ｃに示すように、通常のフィールドＦ１１が作成される。
【０２５０】
図２５は、本実施形態を示す情報処理装置におけるテキストオブジェクトを含む論理ページの例を示す図である。
【０２５１】
図２５において、論理ページ２５０１が原稿エディタで起動されている場合、テキストオブジェクト２５０２を選択し右クリックでポップアップメニューを表示させ、設定を変更するメニュー項目を選択することで、図２４Ａに示す設定画面２４０１を表示する。
【０２５２】
図２４Ａにおいて、チェックボックスＣＢにチェックを入れることで、オブジェクトのプロパティで指定されているフィールドＦ１１を作成する場合に、当該フィールドを上記同調フィールドＦ１２として作成できる。作成される同調フィールド内のオブジェクトを同調オブジェクトと呼ぶ。なお、同調フィールドに対して探索される指標オブジェクトＦ１３と、同調フィールドとは、編集画面において両者を識別可能とするため、表示態様を変更して表示する。ここで、表示態様としては、フィールドの色、形を変更する等がある。
【０２５３】
例えば、図２４に示すチェックボックスＣＢにチェックを入れることで、図２５に示す論理ページ２５０１内において、テキストオブジェクト２５０２のフィールドを通常のフィールドから同調フィールドに変更でき、同調オブジェクトを自在に作成できる。
【０２５４】
同調オブジェクトとして設定されたテキストオブジェクトは、テキスト属性を合わせる対象のオブジェクトである指標オブジェクトのテキスト属性と同一になるようにテキスト属性が変更される。
【０２５５】
強調設定付加ボタン２４０３は、同調オブジェクトとした場合にただテキスト属性を指標オブジェクトに合わせるのではなく、指標オブジェクトのテキスト属性から相対的に変更するための強調設定を付加するボタンである。
【０２５６】
例えば、指標オブジェクトのフォントサイズより２ポイント大きくする設定や、スタイルをイタリックにする設定などができる。
【０２５７】
また、同調設定手段は、テキスト可変フィールドのプロパティにもあり、テキスト可変フィールドを同調オブジェクトとすることが可能である。
【０２５８】
図２６は、本実施形態を示す情報処理装置で処理可能なテキストオブジェクトのデータ構造を示す図である。
【０２５９】
図２６において、オブジェクトＩＤには、オブジェクトを一意に識別するための値が格納される。例えば、論理ページ内の右上にあるオブジェクトから順に１から１ずつ増加させることで一意の番号をつける方法がある。
【０２６０】
指標オブジェクトＩＤには、当該テキストオブジェクトが同調オブジェクトであった場合、設定を合わせる対象となる指標オブジェクトのオブジェクトＩＤが格納される。
【０２６１】
指標オブジェクトＩＤに値が無い場合、当該オブジェクトは通常のテキストオブジェクトとなる。
【０２６２】
同調オブジェクトＩＤは、当該テキストオブジェクトを指標オブジェクトとしているテキストオブジェクトが存在する場合に、そのテキストオブジェクトのオブジェクトＩＤが格納される。当該テキストオブジェクトを指標オブジェクトとしているテキストオブジェクトが複数存在する場合は、指標としている全てのテキストオブジェクトのオブジェクトＩＤが格納される。
【０２６３】
同調情報は、当該オブジェクトが同調オブジェクトである場合の付加設定が格納される。例えば、指標オブジェクトのフォントサイズより２ポイント大きくするなどの強調設定の情報が格納される。
【０２６４】
位置情報は、テキストオブジェクトが論理ページ内のどこに配置されているかを示す情報である。例えば、ページ内における横方向の位置、及び縦方向の位置をそれぞれ座標値として格納する。サイズ情報は、テキストを描画する領域の横方向、及び縦方向の大きさを格納する。
【０２６５】
その他に、テキスト属性、テキストオブジェクトの文字列等がある。尚、オブジェクトのデータ構造はこの他に追加項目があってもよい。
【０２６６】
例えば、可変フィールドを同調オブジェクトとした場合、文字列はデータベースから取得されるため、文字列の情報は持たない。そのかわりに、接続されるデータベースの情報が項目として追加される。
【０２６７】
図２７は、本実施形態を示す文書処理装置における第７のデータ処理装置を示すフローチャートである。本例は、通常のテキストオブジェクトを同調オブジェクトに変更する処理のフローを示している。
【０２６８】
まず、本処理は、選択された論理ページ内の全テキストオブジェクトに対して同調オブジェクトと設定されたオブジェクトに最も近いオブジェクトを探索する。
【０２６９】
そして、探索されたオブジェクトを指標オブジェクトとし、指標オブジェクトからテキスト属性と位置情報を取得して同調オブジェクトに反映する。以下、ステップに基づいて説明する。
【０２７０】
まず、Ｓ２７０１で、製本アプリケーション１０４は、指標オブジェクトの探索を行う。詳細については後述する。
【０２７１】
次に、Ｓ２７０２で、製本アプリケーション１０４は、指標オブジェクトのテキスト属性と合わせるように同調オブジェクトのテキスト属性を変更する。Ｓ２７０１同様詳細については後述する。
【０２７２】
そして、Ｓ２７０３で、製本アプリケーション１０４は、同調オブジェクトを配置するための配置位置を変更して、本処理を終了する。
【０２７３】
なお、本処理の詳細については後述する。以上の手順で通常のテキストオブジェクトのフィールドを同調フィールドする場合の同調処理について説明する。
【０２７４】
ここから、それぞれの処理の詳細な手順を説明する。
【０２７５】
図２８は、本実施形態を示す文書処理装置における第８のデータ処理装置を示すフローチャートである。本例は、図２７に示したＳ２７０１の詳細フローを示している。
【０２７６】
本処理は、選択された論理ページ内の全テキストオブジェクトに対して、同調オブジェクトと各テキストオブジェクトの距離を基準位置から算出する。そして、製本アプリケーション１０４は、算出された値が最も小さいオブジェクトを当該同調オブジェクトの指標オブジェクトに設定する。以下、各ステップに基づいて説明する。
【０２７７】
まず、Ｓ２８０１で、製本アプリケーション１０４は、同調オブジェクトの基準位置Ｂを取得し、Ｓ２８０２で、論理ページにあるテキストオブジェクトのうち、一つの基準位置Ａを取得する。
【０２７８】
ここで、基準位置とは、テキストオブジェクトと指標オブジェクトとの距離を比較するための任意の位置である。
【０２７９】
図２９Ａは、本実施形態を示す情報処理装置におけるテキストオブジェクトの基準位置を説明する図である。以下、図２９Ａを用いて基準位置として使用する位置の例を説明する。
【０２８０】
図２９Ａの上部側に示す横書きフォントの場合、代表的なものとしてフォントのベースライン２９０１の縦方向の座標を用いる方法がある。その他に、テキストオブジェクトの領域の中心座標２９０２の縦方向の座標や、領域の下側の座標２９０３などを用いることもできる。
【０２８１】
また、図２９Ａの下部側に示すように、同調オブジェクトが縦書きであった場合、センターライン２９０４やテキストオブジェクトの領域の右側座標２９０５などを用いることができる。基準位置は同調オブジェクトとその他のテキストオブジェクトとで別々の値を用いてもよい。
【０２８２】
以下、図２９Ｂ〜図２９Ｅを参照して、指標オブジェクト探索処理について説明する。
【０２８３】
図２９Ｂ〜図２９Ｅは、図２８に示した指標オブジェクト探索処理の一例を説明する図である。
【０２８４】
図２９Ｂ、図２９Ｅは、基準位置としてフォントのベースラインを用いた指標オブジェクト探索処理であって、各テキストオブジェクトと同調フィールドＦ１２とのフォントのベースラインが最も近いオブジェクトを指標オブジェクトＦ１３と決定した例である。
【０２８５】
図２９Ｃは、基準位置を同調フィールドの中央座標ＣＭと各オブジェクトの中央座標との距離を用いた指標オブジェクト探索処理である。
【０２８６】
図２９Ｄは、基準位置を同調フィールドの下座標ＵＭと各オブジェクトのベースラインＢＬ１〜ＢＬ３との距離を用いた指標オブジェクト探索処理である。下座標ＵＭと各オブジェクトのベースラインＢＬ１〜ＢＬ３との距離が最も近いベースラインＢＬ１に対応するオブジェクトを指標オブジェクトＦ１３と決定した例である。
【０２８７】
図４３は、図２に示すＣＲＴ２１０に表示されるユーザインタフェースの一例を示す図である。
【０２８８】
図４３において、同調オブジェクト基準位置設定手段４３０１で同調オブジェクトの基準位置の設定を行い、指標オブジェクト基準位置設定手段４３０２で指標オブジェクトの基準位置の設定を行う。
【０２８９】
なお、図４３では、同調オブジェクトの基準位置にオブジェクトの下側座標を使用し、指標オブジェクトの基準位置に一行目のフォントのベースラインを使用する設定がされている。この設定を使用し、オブジェクト位置を合わせる際の基準位置を決定する。
【０２９０】
次に、Ｓ２８０３で、製本アプリケーション１０４は、テキストオブジェクトの基準位置Ａと同調オブジェクトの基準位置Ｂの絶対値を求め、ＭＩＮの値と比較する。ここで、ＭＩＮには、論理ページのサイズより大きい値が格納される。これは、最終的に最初に入っていた値がＭＩＮにならない程度大きな値であればどのような値を用いてもよい。
【０２９１】
ここで、製本アプリケーション１０４が最終的に最初に入っていた値がＭＩＮの値より小さいと判断した場合は、Ｓ２８０４へ進む。そして、Ｓ２８０４で、製本アプリケーション１０４は、ＭＩＮにテキストオブジェクトの基準位置Ａと同調オブジェクトの基準位置Ｂの絶対値を格納する。
【０２９２】
このとき、製本アプリケーション１０４は、ＭＩＮの値を持つテキストオブジェクトのオブジェクトＩＤを記憶しておく。
【０２９３】
なお、図２８のＳ２８０３とＳ２８０４で記載されているＡとＢは、テキストオブジェクトの基準位置Ａと同調オブジェクトの基準位置Ｂを省略した記述となっている。
【０２９４】
そして、Ｓ２８０５で、製本アプリケーション１０４は、論理ページ内の全てのテキストオブジェクトに対してＳ２８０２からＳ２８０４の処理を行ったかどうかを判断する。
【０２９５】
ここで、製本アプリケーション１０４が全てのテキストオブジェクトに行っていないと判断した場合は、Ｓ２８０６へ進む。つまり、製本アプリケーション１０４は、Ｓ２８０６で、次のテキストオブジェクトを選択した後、Ｓ２８０２、Ｓ２８０３、Ｓ２８０４の処理を繰り返して、論理ページ中の全てのテキストオブジェクトに対して指標オブジェクトの探索を行う。
【０２９６】
ここでいう全てテキストオブジェクトとは、同調オブジェクトが横書きの場合は横書きのテキストオブジェクト全てとなり、縦書きの場合は縦書きのテキストオブジェクト全てとなる。これにより、最終的にＭＩＮの値を持つテキストオブジェクトが探索される。
【０２９７】
そして、ＭＩＮの値を持つテキストオブジェクトのオブジェクトＩＤを同調オブジェクトの指標オブジェクトＩＤに格納する。また、ＭＩＮの値を持つテキストオブジェクトの同調オブジェクトＩＤに同調オブジェクトのオブジェクトＩＤを格納する。
【０２９８】
そして、Ｓ２８０７で、製本アプリケーション１０４は、Ｓ２８０１〜Ｓ２８０６の処理により、ＭＩＮの値を持つテキストオブジェクトを指標オブジェクトとして、本処理を終了する。
【０２９９】
図３０は、本実施形態を示す情報処理装置における指標オブジェクトと同調オブジェクトのデータ構造の関係を示す図である。
【０３００】
図３０において、テキストオブジェクト３００１を指標オブジェクトとしている同調オブジェクト３００２と同調オブジェクト３００３がある。そして、同調オブジェクト３００２は同調オブジェクト３００４の指標オブジェクトである状態を示している。
【０３０１】
テキストオブジェクト３００１は通常のテキストオブジェクトのため、指標オブジェクトＩＤがない。同調オブジェクト３００２は、テキストオブジェクト３００１を指標オブジェクトとしているため、指標オブジェクトＩＤにテキストオブジェクト３００１のオブジェクトＩＤである「１」が格納されている。
【０３０２】
そして、テキストオブジェクト３００１は同調オブジェクト３００２の指標オブジェクトとなっているため、指標オブジェクトＩＤに同調オブジェクト３００２のオブジェクトＩＤである「２」が格納されている。
【０３０３】
同調オブジェクト３００３も同様にテキストオブジェクト３００１を指標オブジェクトとしているため、指標オブジェクトＩＤに「１」が格納されている。
【０３０４】
テキストオブジェクト３００１は、二つの同調オブジェクトの指標オブジェクトとなっているため指標オブジェクトＩＤには「２」と「３」の二つの値が格納されている。
【０３０５】
同調オブジェクト３００２は、同調オブジェクト３００４から指標オブジェクトとされているため、同調オブジェクト３００２の同調オブジェクトＩＤに４が格納され、同調オブジェクト３００４の指標オブジェクトＩＤには「２」が格納される。
【０３０６】
図３１は、本実施形態を示す文書処理装置における第９のデータ処理装置を示すフローチャートである。本例は、通常のテキストオブジェクトを同調オブジェクトとする処理であって、図２７に示したテキスト属性の変更処理の詳細フローを示している。より具体的には、同調オブジェクトのテキスト属性を指標オブジェクトのテキスト属性と合わせるためのテキスト属性の変更の処理例である。
【０３０７】
本処理は、指標オブジェクトのテキスト属性を同調オブジェクトのテキスト属性に反映するために、指標オブジェクトのフォントの有無を調べ、無かった場合は別のフォントを利用する。そして、当該同調オブジェクトに強調設定がされていた場合は、その設定を反映し、変更したフォントが収まるように当該同調オブジェクトを変更する処理を行う。
【０３０８】
まず、Ｓ３１０１で、製本アプリケーション１０４は、指標オブジェクトＩＤから指標オブジェクトのオブジェクトＩＤを探し、そのオブジェクトＩＤを持つテキストオブジェクトからテキスト属性Ｆを取得する。
【０３０９】
次に、Ｓ３１０２で、製本アプリケーション１０４は、テキスト属性Ｆのフォントがコンピュータ内に存在するフォントかどうか検索して判断する。ここで、フォントが検索できたと製本アプリケーション１０４が判断した場合、Ｓ３１０３で、そのフォントが同調オブジェクトのテキスト属性のフォントに格納される。
【０３１０】
一方、Ｓ３１０２で、製本アプリケーション１０４が同一のフォントが存在しないため検索できないと判断した場合、Ｓ３１０４へ進む。  
そして、Ｓ３１０４で、製本アプリケーション１０４は、次にコンピュータ内に似ているフォントが存在するか検索して判断する。ここで、似ているかどうかの判定方法は、フォントのピッチやスタイル、フォントファミリなどの属性の一致具合などで判断する。これに限らず、フォントを画像にして特徴の類似具合を判定する方法などもある。
【０３１１】
ここで、製本アプリケーション１０４が似ているフォントを検索できたと判断した場合、Ｓ３１０５で、製本アプリケーション１０４は、その似ているフォントを同調オブジェクトのテキスト属性のフォントに格納する。
【０３１２】
一方、Ｓ３１０４で、製本アプリケーション１０４が検索できないと判断した場合は、Ｓ３１０６で、デフォルトフォントが同調オブジェクトのテキスト属性のフォントに格納される。ここで、デフォルトフォントは、ＯＳなどによって自動的に選択されてもよいし、ユーザが任意のフォントを選択してもよい。
【０３１３】
その後、Ｓ３１０７で、製本アプリケーション１０４は、同調オブジェクトのフォント以外のテキスト属性を指標オブジェクトのテキスト属性と一致させる。
【０３１４】
これにより、テキストのスタイル・サイズ・色・文字装飾等が同調オブジェクトと指標オブジェクトで一致することになる。一つのテキストオブジェクトに複数のテキスト属性が存在した場合、その中から代表するテキスト属性を一つ選びそのテキスト属性と合わせることができる。代表するテキスト属性の選択方法は、先頭の文字のテキスト属性を用いる方法や最も多くの文字で使用されているテキスト属性を用いる方法などがある。
【０３１５】
次に、Ｓ３１０８で、製本アプリケーション１０４は、同調オブジェクトの同調設定に強調設定がされているかどうか判断する。ここで、強調設定がされていると製本アプリケーション１０４が判断した場合は、Ｓ３１０９で、製本アプリケーション１０４は、強調設定に従ってテキスト属性が変更される。
【０３１６】
図３２は、図２に示すＣＲＴ２１０に表示されるユーザインタフェースを含む文書編集の一例を示す図である。本例は、強調設定を行うためのユーザインタフェースとともに、文書編集状態を対応づけた例である。なお、Ｆ１２は同調フィールドを示し、Ｆ１３は指標オブジェクトを示す。指標オブジェクトＦ１３内のオブジェクトがテキストオブジェクトで、書体が行書体で、ポイントが１８ポイントで、色が紫の例を示す。フィールドＦ１１には、最初、オブジェクトがテキストで、書体がゴシック体で、ポイントが１２ポイントで、色が黒の例を示す。
【０３１７】
図３２において、３２０１はチェックボックスで、このチェックボックス３２０１に対する設定を切り替えることにより、強調設定を行うか否かを決定する。
【０３１８】
そして、フォントサイズを相対的に指定することができるユーザインタフェース３２０２により、指標オブジェクトから取得したフォントサイズからどれだけサイズを変えた値を使用するかを入力する。
【０３１９】
例えば、＋４と入力することで指標オブジェクトＦ１３から取得したフォントが１０ポイントであった場合、同調フィールドＦ１２内の同調オブジェクトのフォントサイズを１４ポイントに設定することができる。
【０３２０】
更に、スタイルの設定がなかった場合にスタイルを付加できるユーザインタフェース３２０３の設定を行うことで、指標オブジェクトＦ１３のフォントスタイルが太字で無い場合、同調フィールドＦ１２内の同調オブジェクトのフォントスタイルを太字にできる。これにより、強調設定が有効となる場合には、同調フィールドＦ１２内のテキストに対する設定は、同調処理により、書体が行書体で、ポイントが２２ポイントで、色が紫に調整される。
【０３２１】
このほかに、文字飾りや文字間隔などについても同様にユーザインタフェースを設けることによって、強調設定を行うことができる。
【０３２２】
図３３、図３４は、本実施形態を示す情報処理装置における強調設定されるテキストオブジェクトの状態を示す図である。
【０３２３】
本例は、強調設定を行った状態の同調オブジェクトの状態に対応する。
【０３２４】
図３３において、強調設定がされた同調オブジェクト３３０１があり、その指標オブジェクト３３０２がある。指標オブジェクト３３０２のフォントは、例えば創英角ゴシックであり、フォントサイズは１８ポイントである。
【０３２５】
同調オブジェクト３３０１は、強調設定がされており、フォントサイズ＋４ポイントと設定されている。そのため、同調オブジェクトのフォントサイズは、１８ポイントより４ポイント大きい２２ポイントとなる。
【０３２６】
次に、Ｓ３１１０で、製本アプリケーション１０４は、同調オブジェクトのフォントサイズの高さと同調オブジェクトのオブジェクト領域の内のテキスト領域の高さとを比較して、フォントサイズがテキスト領域よりも大きいかどうかを判断する。ここで、テキスト領域とは、オブジェクト領域内のテキストを配置することが可能な領域である。
【０３２７】
また、領域の設定として余白の設定などが存在する場合、オブジェクト領域から余白の量を差し引いた値がテキスト領域となる。
【０３２８】
尚、オブジェクト領域に余白等の設定が無い場合は、オブジェクト領域とテキスト領域の大きさは等しくなる。
【０３２９】
ここで、製本アプリケーション１０４が同調オブジェクトのフォントサイズの高さより、テキスト領域の高さの方が小さいと判断した場合、テキスト領域の高さを同調オブジェクトのフォントサイズの高さと同じ値にする（Ｓ３１１１）。
【０３３０】
一方、Ｓ３１１０で、製本アプリケーション１０４が同調オブジェクトのフォントサイズの高さより、テキスト領域の高さの方が小さくないと判断した場合、本処理を終了する。
【０３３１】
なお、Ｓ３１１１の処理は、図３４で示すようにテキスト領域の高さの方が同調オブジェクトのフォントサイズより小さかったためにテキストが欠けてしまうことを回避するために行われる。
【０３３２】
また、同調オブジェクトに設定をすると元の状態よりフォントサイズが大きくなる場合がある。そのため、同調オブジェクトと設定する前のテキストオブジェクトでテキストが収まるぎりぎりの大きさに設定していた場合に、同調オブジェクト３４０１のようにテキストが欠けてしまう可能性がある。この現象を回避するためにＳ３１１０及びＳ３１１１の処理が行われる。
【０３３３】
図３５は、本実施形態を示す文書処理装置における第１０のデータ処理装置を示すフローチャートである。本例は、通常のテキストオブジェクトを同調オブジェクトとする処理であって、図２７に示したオブジェクト位置の変更処理の詳細フローを示している。より具体的には、指標オブジェクトのフォントのベースラインに同調オブジェクトのフォントのベースラインを合わせる処理（同調処理）例である。以下、製本アプリケーション１０４が指標オブジェクトの配置位置（例えばフォントのベースライン）に基づいて、同調フィールドに入力されるオブジェクトの配置位置を合わせる処理について説明する。
【０３３４】
本処理は、指標オブジェクトと同調オブジェクトとのベースライン位置の差を求め、その情報を基に２つのオブジェクトのベースラインが一致するように当該同調オブジェクトの位置を変更する処理である。以下、各ステップに基づいて説明する。
【０３３５】
まず、Ｓ３５０１で、製本アプリケーション１０４は、指標オブジェクトのフォントのベースラインＢＢＬを取得する。次に、Ｓ３５０２で、製本アプリケーション１０４は、指標オブジェクトのフォントのベースラインＢＢＬから同調オブジェクトの一行目のフォントのベースラインを減算した値を一時保存領域Ｎに格納する。
【０３３６】
尚、指標オブジェクトのテキストが複数行にわたる場合、何行目を用いてもよい。
【０３３７】
また、ここではフォントのベースラインの位置を使用したが、代わりにフォントのディセンダラインやアセンダラインなどの値を用いてもよい。
【０３３８】
そして、Ｓ３５０３で、製本アプリケーション１０４は、同調オブジェクトの縦方向の座標を表す位置情報に一時保存領域Ｎに格納した値を加える。これにより、同調オブジェクトの位置が指標オブジェクトのフォントのベースラインと並ぶように配置される。
【０３３９】
次に、Ｓ３５０４で、製本アプリケーション１０４は、同調オブジェクトと指標オブジェクトの領域が重なっているか否かの判定を行う。
【０３４０】
ここで、判定に使用する領域には、オブジェクト領域やオブジェクトのテキスト領域などを使用することができる。
【０３４１】
そして、製本アプリケーション１０４が同調オブジェクトと指標オブジェクトの領域が重なっていると判断した場合、Ｓ３５０５へ進み、同調オブジェクトの位置を指標オブジェクトの領域に重ならない位置まで変更して、本処理を終了する。
【０３４２】
一方、Ｓ３５０４で、製本アプリケーション１０４が同調オブジェクトと指標オブジェクトの領域が重なっていないと判断した場合、本処理を終了する。
【０３４３】
この処理では、横書きフォントの場合、横方向のみの移動を行い縦書きフォントの場合、縦方向のみの移動を行う。横書きフォントの場合に、右と左どちら側に移動させるかの判定は領域の重なり具合をみて、移動距離が少ない方に移動させる。縦書きフォントの場合も同様に、領域の重なり具合から移動距離が少ないように上ないしは下に移動させる。
【０３４４】
以下、図３６、図３７に示す編集状態を参照して、図３７は、図３５に示した処理の内容についてさらに説明する。
【０３４５】
図３６、図３７は、本実施形態を示す情報処理装置におけるオブジェクト位置変更処理状態を説明する図である。
【０３４６】
まず、図３６の（Ａ）で示すように、同調オブジェクト３６０１があり、その指標オブジェクト３６０２がある場合について説明する。
【０３４７】
この場合、製本アプリケーション１０４は、指標オブジェクト３６０２のフォントのベースライン３６０４から同調オブジェクト３６０１のフォントのベースライン３６０３を減算して差を出す。その減算した値を同調オブジェクト３６０１の位置情報に加えることによって、図３６の（Ｂ）に示す状態となる。
【０３４８】
図３６の（Ｂ）では、同調オブジェクト３６０１のフォントのベースライン３６０３と指標オブジェクト３６０２のフォントのベースライン３６０４とが同じ値となる。
【０３４９】
図３７は、同調オブジェクトと指標オブジェクトのテキスト属性を合わせた結果、オブジェクト同士が重なってしまった場合の処理例である。
【０３５０】
以下、同調オブジェクト３７０１があり、その指標オブジェクト３７０２がある場合について説明する。
【０３５１】
図３７の（Ａ）、（Ｂ）の処理については、図３６の説明で前述したため省略する。
【０３５２】
テキスト属性、及び位置を変更した結果、同調オブジェクト３７０１と指標オブジェクト３７０２が重なってしまった場合、同調オブジェクト３７０１は、図３７の（Ｃ）のように移動される。
【０３５３】
これは、製本アプリケーションが同調オブジェクト３７０１と指標オブジェクト３７０２の重なりを判定した結果、同調オブジェクト３７０１をベースラインに沿って右側へ重ならないように移動された結果である。
【０３５４】
図３８Ａ、図３８Ｂは、本実施形態を示す情報処理装置におけるオブジェクト編集処理状態を説明する図である。本例は、図２７に示す各ステップの処理を行った結果後の状態に対応する。
【０３５５】
図３８Ａの（Ａ）の情報は、論理ページ３８０６があり、そこからテキストオブジェクト３８０１を同調オブジェクトに設定した後の状態が図３８Ａの（Ｂ）に示す状態である。
【０３５６】
論理ページ３８０６には、テキストオブジェクト３８０１、３８０２、３８０３、３８０４と、図形オブジェクト３８０５がある。
【０３５７】
そこで、同調フィールド内のテキストオブジェクト３８０１を同調オブジェクトに設定すると論理ページ内のテキストオブジェクト全てから基準位置が最も近いテキストオブジェクトが製本アプリケーション１０４によるＳ２７０１の処理で探索される。フォントのベースラインを基準位置とした場合、テキストオブジェクトである指標オブジェクト３８０２が最も近いテキストオブジェクトとして選択され、指標オブジェクトとなる。
【０３５８】
このとき、図形オブジェクト３８０５はテキストオブジェクトではないため、探索対象とならない。
【０３５９】
そして、指標オブジェクト３８０２のテキスト属性を取得して同調オブジェクトに適用される。
【０３６０】
その後、製本アプリケーション１０４により同調オブジェクトとなるテキストオブジェクト３８０１の位置の変更が行われテキストオブジェクト３８０１のフォントのベースラインと指標オブジェクト３８０２のフォントのベースラインが同じ値となる。これらのフィールドサイズ調整処理が行われ、同調オブジェクトに設定後は、図３８の（Ｂ）の状態になる。
【０３６１】
一方、図３２に示した強調設定がある場合に、同調フィールドＦ１２のテキストに対して強調処理を実行してしまうと、強調されたテキストが同調フィールドＦ１２に収まらない場合が生じる。
【０３６２】
そこで、図３８Ｂに示すように、図３２に示す強調設定が有効となる場合には、同調フィールドＦ１２内のテキストに対する設定は、同調処理により、書体が行書体で、ポイントが２２ポイントで、色が紫に調整される。
【０３６３】
この場合において、製本アプリケーション１０４は、同調処理において強調されたテキストが同調フィールドＦ１２内に収まるかどうかを判断する。ここで、強調されたテキストが同調フィールドＦ１２内に収まらないと判断された場合、製本アプリケーション１０４は、強調されたテキストを同調フィールド内に収めるように、同調フィールドＦ１２のサイズを同調フィールドＦ１２−１のサイズに変更する。
【０３６４】
これにより、図３８Ｂに示すように、同調フィールドサイズが変更された同調フィールドＦ１２−１に強調されたテキストが配置される。
【０３６５】
図３９は、本実施形態を示す文書処理装置におけるオブジェクト編集状態を示す図である。本例は、同調オブジェクトが存在する論理ページの表示状態を示した例である。
【０３６６】
図３９に示すように、同調オブジェクトと設定されたオブジェクトは、視覚的にどのオブジェクトが指標オブジェクトであるかがわかるように表示される。
【０３６７】
例えば、同調オブジェクト３９０１と指標オブジェクト３９０２を線で結び、指標オブジェクト側の線の終端を丸くすることで関連が視覚的にわかりやすく表示できる。
【０３６８】
[同調フィールドの移動に伴う処理]
次にオブジェクトの位置を移動する処理について説明する。なお、作成される同調フィールド内のオブジェクトを同調オブジェクトと呼ぶ。
【０３６９】
図４０Ａは、本実施形態を示す文書処理装置における第１１のデータ処理装置を示すフローチャートである。本例は、通常のテキストオブジェクトを同調オブジェクトとする処理であって、同調オブジェクトを移動する際の処理（第１の移動処理）の詳細フローを示している。
【０３７０】
本処理は、ユーザ操作により選択されたオブジェクトの位置情報を変更する処理を行う。その際に、選択されたオブジェクトが他のオブジェクトの指標オブジェクトとなっていた場合には、選択されたオブジェクトを指標オブジェクトとしている同調オブジェクトも同調フィールドの移動に基づき、同じ移動量分、移動させる。ここで、選択されたオブジェクトが同調オブジェクトであった場合、移動後の位置で指標オブジェクトの探索が再度行われ、指標オブジェクトに応じてテキスト情報、オブジェクト位置の移動処理が行われる。
【０３７１】
そのため、このフローチャートでは、移動処理対象のオブジェクトが同調オブジェクトであった場合と、指標オブジェクトであった場合の処理についても記載されているが、それぞれの処理の詳細については各ステップに基づいて説明する。
【０３７２】
まず、ユーザ操作により、Ｓ４００１で、オブジェクトが選択される。以下、選択されたオブジェクトを選択オブジェクトと呼ぶ。続いて、Ｓ４００２で、移動後の位置がユーザ操作により選択される。次に、Ｓ４００３で、製本アプリケーション１０４は、オブジェクトの位置を変更する移動処理を図４０Ｂに示すフローチャートに基づいて行う。
【０３７３】
図４０Ｂは、本実施形態を示す文書処理装置における第１２のデータ処理装置を示すフローチャートである。本例は、図４０ＡのＳ４００３に示した移動処理の詳細フローを示している。
【０３７４】
製本アプリケーション１０４は、移動処理が開始される、Ｓ４００４で、製本アプリケーション１０４は、選択オブジェクトに同調オブジェクトＩＤが設定されているかどうかを判断する。ここで、同調オブジェクトＩＤを示す値が格納されていると製本アプリケーション１０４が判断した場合には、Ｓ４００６で、製本アプリケーション１０４は、その同調オブジェクトＩＤのオブジェクトＩＤを持つオブジェクトに対して同様に移動処理を行う。そして、移動処理が終了したら、選択オブジェクトの同調オブジェクトＩＤを再度調べる。このとき、一度移動処理を行ったＩＤについては処理を行わない。
【０３７５】
全ての同調オブジェクトＩＤのオブジェクトＩＤを持つオブジェクトに対して処理が終了したら、Ｓ４００４で、同調オブジェクトＩＤがないと製本アプリケーション１０４が判断して、Ｓ４００５で、選択オブジェクトの位置情報を変更して、本処理を終了する。以後、図４０Ａに示すＳ４００７以降へ進む。
【０３７６】
次に、Ｓ４００７で、製本アプリケーション１０４が選択オブジェクトの指標オブジェクトＩＤの有無を判断する。ここで、製本アプリケーション１０４が選択オブジェクトの指標オブジェクトＩＤが無いと判断した場合は、本処理を終了する。なお、通常のオブジェクトの場合、指標オブジェクトＩＤに値が格納されていないため、移動処理は終了となる。
【０３７７】
一方、Ｓ４００７で、製本アプリケーション１０４が選択オブジェクトの指標オブジェクトＩＤがあると判断した場合、すなわち選択オブジェクトが同調オブジェクトであった場合、Ｓ４００８からＳ４０１４までの処理を行う。
【０３７８】
処理内容は、まず、Ｓ４００８で、製本アプリケーション１０４は、指標オブジェクトＩＤのオブジェクトＩＤを持つオブジェクトの同調オブジェクトＩＤに格納されている選択オブジェクトＩＤと同一の値を削除する。
【０３７９】
そして、Ｓ４００９で、製本アプリケーション１０４は、選択オブジェクトの指標オブジェクトＩＤの値を削除する。
【０３８０】
次に、Ｓ４０１０で、製本アプリケーション１０４は、指標オブジェクトの探索を行い、Ｓ４０１１で、製本アプリケーション１０４は、テキスト属性の変更を行い、Ｓ４０１２で、製本アプリケーションは、オブジェクト位置の変更を行う。この３つの処理については、図２７の同様の処理であり前述したため省略する。
【０３８１】
その後、Ｓ４０１３で、製本アプリケーション１０４は、選択オブジェクトの同調オブジェクトＩＤに値が格納されているかどうかを判断する。ここで、製本アプリケーション１０４が、選択オブジェクトの同調オブジェクトＩＤに値が格納されていると判断した場合、Ｓ４０１４で、同調オブジェクトＩＤのオブジェクトＩＤを持つ同調オブジェクトを選択オブジェクトとして、Ｓ４０１１へ戻る。
【０３８２】
そしてＳ４０１１で、新たに選択されたオブジェクトについて、テキスト属性の変更処理を行い、Ｓ４０１２で、オブジェクト位置の移動を行う。
【０３８３】
次に、Ｓ４０１３で、再度同調オブジェクトＩＤに値があるかどうかを判断する。このとき、選択オブジェクトとなったオブジェクトのオブジェクトＩＤは無いものとして判断する。
【０３８４】
そのため、ユーザ操作により選択されたオブジェクトの同調オブジェクトＩＤの数分、Ｓ４０１４、Ｓ４０１１、Ｓ４０１２の処理が繰り返し行われる。
【０３８５】
なお、Ｓ４０１３で、製本アプリケーション１０４が同調オブジェクトＩＤに値がないと判断した場合は、本処理を終了する。
【０３８６】
[同調フィールドの移動処理]
次に、同調フィールドを移動する第１の移動処理について、図４０Ｃに基づいて指標オブジェクトとの対応を説明する。
【０３８７】
同調フィールドを移動すると、移動した位置で再度指標オブジェクトの探索を行い、テキスト属性、位置の調整を行う。すなわち、図２７の同調処理のフローを再度行う。以下、図４０Ａ、図４０Ｂ、図４０Ｃを参照して、同調フィールドの移動処理について説明する。
【０３８８】
まず、Ｓ４００１で、ユーザ操作によりオブジェクトが選択される。ここで、オブジェクトを選択する手段として、マウスによるクリックや、キーボードによるキー操作が一般的である。
【０３８９】
そして、Ｓ４００２で、ユーザ操作により移動する位置が選択される。Ｓ４００３で、図４０Ｃに示すように、移動する位置Ｆ１２−１１が選択されると、オブジェクトを移動するための処理が行われる。
【０３９０】
移動処理は、図４０Ｂに示すＳ４００４で、製本アプリケーション１０４は、まず、選択したオブジェクトの同調オブジェクトＩＤに値が格納されているかを判断する。ここで、製本アプリケーション１０４が選択したオブジェクトの同調オブジェクトＩＤに値が格納されていないと判断した場合は、Ｓ４００５で、選択したオブジェクトを移動させる。
【０３９１】
一方、Ｓ４００４で、同調オブジェクトＩＤが格納されていると判断された場合、Ｓ４００６で、選択したオブジェクトを指標オブジェクトとしているオブジェクトがあるため、製本アプリケーション１０４は同調オブジェクトの移動も行う。この処理の詳細については後述する。
【０３９２】
次に、図４０Ａに示すＳ４００７で、製本アプリケーション１０４は、選択したオブジェクトに指標オブジェクトＩＤが格納されているかどうかを判断する。ここで、同調オブジェクトの場合、指標オブジェクトＩＤが存在する。すると、次に、Ｓ４００８で、製本アプリケーション１０４は、指標オブジェクトＩＤのオブジェクトＩＤを持つオブジェクトの同調オブジェクトＩＤに選択したオブジェクトのオブジェクトＩＤが格納されているので、その値を削除する。そして、Ｓ４００９で、製本アプリケーション１０４は、選択したオブジェクトの指標オブジェクトＩＤを削除する。
【０３９３】
これで、指標オブジェクトとの関連が削除される。その後、Ｓ４０１０で、製本アプリケーション１０４は、指標オブジェクトの探索を行うことで、移動された位置で指標オブジェクトの再探索を行う。
【０３９４】
指標オブジェクトの探索処理についての詳細は、図２８の処理の説明において前述したため省略する。
【０３９５】
続いて、Ｓ４０１１で、製本アプリケーション１０４は、テキスト属性の変更処理を行い、Ｓ４０１２で、製本アプリケーション１０４は、オブジェクト位置の変更処理を行う。
【０３９６】
これらの処理も、テキスト属性の変更は図３１、オブジェクト位置の変更処理は、図３５の説明において前述したため省略する。
【０３９７】
次に、Ｓ４０１３で、製本アプリケーション１０４は、選択したオブジェクトの同調オブジェクトＩＤに値が格納されているかどうかを判断する。ここで、同調オブジェクトＩＤが格納されていた場合、選択したオブジェクトを指標オブジェクトとする同調オブジェクトが存在する。そのため、Ｓ４０１４で、製本アプリケーション１０４は、その同調オブジェクトを選択したオブジェクトとし、Ｓ４０１１、Ｓ４０１２で、製本アプリケーション１０４は、テキスト属性、及びオブジェクト位置の変更を繰り返し行う。この繰り返しは、選択したオブジェクトの同調オブジェクトＩＤに値の無いオブジェクトまで行われる。
【０３９８】
以上の処理により、図４０Ｃに示すように、同調オブジェクトが移動した際には指標オブジェクトが再探索され、その指標オブジェクトＦ１３−１にテキスト属性、及びオブジェクト位置を合わせることができる。
【０３９９】
つまり、ユーザは、同調フィールドＦ１２を移動する操作を行うと、再探索される最も近い指標オブジェクトＦ１３−１のフォント属性、フィールド位置が自動的に調整される。
【０４００】
なお、通常のフィールドである場合には、当然、ユーザが移動した通常のフィールドに対して、フォント属性、フィールド位置を個々に調整する操作が必要となる。
【０４０１】
[指標オブジェクトの移動処理]
次に、指標オブジェクトを移動する第２の移動処理について図４０Ａ、図４０Ｂ、図４０Ｄを参照して説明する。ここで、第２の移動処理とは、図４０Ｄに示すように、指標オブジェクトＦ１３は、そのオブジェクトを指標オブジェクトとする同調フィールドＦ１２が存在するので、そのフィールドも指標オブジェクトの移動量と同じだけ移動させる処理をいう。なお、同調フィールドＦ１２内のオブジェクトを同調オブジェクトと呼ぶ。
【０４０２】
まず、Ｓ４００１で、ユーザにより移動したいオブジェクトが選択され、Ｓ４００２で、移動位置が指定される。そして、Ｓ４００３で、製本アプリケーション１０４は、オブジェクトの移動処理を行う。
【０４０３】
製本アプリケーション１０４による移動処理が開始されると、図４０Ｂに示すＳ４００４で、製本アプリケーション１０４は、選択したオブジェクトの同調オブジェクトＩＤに値が格納されているかどうかを判断する。ここで、指標オブジェクトＦ１３の場合は、同調オブジェクトＩＤに値が格納されている。
【０４０４】
そして、Ｓ４００６で、製本アプリケーションは、同調オブジェクトＩＤのオブジェクトＩＤを持つ同調フィールドＦ１２を対象にして、移動処理を行う。
【０４０５】
このように、再帰的に処理を行うことにより同調フィールドＦ１２の指標オブジェクトＦ１３を移動すると、同調フィールドＦ１２を指標オブジェクトＦ１３の位置に合わせる変更を行う。なお、Ｓ４００４の判定は、一度移動処理を行った同調オブジェクトはないものとみなして判定を行う。
【０４０６】
すなわち、同調オブジェクトＩＤの個数分だけ移動処理が行われる。
【０４０７】
なお、Ｓ４００７からＳ４０１４の処理は、前述したため省略する。
【０４０８】
ここでは、指標オブジェクトの移動処理について説明をしたが、指標オブジェクトのテキスト属性などが変更された場合にも同様の手順で処理を行う。
【０４０９】
以下、図４１に示す編集状態を参照して、指標オブジェクトを移動させる第２の移動処理について、さらに説明する。
【０４１０】
図４１は、本実施形態を示す情報処理装置における同調フィールドの移動処理の状態を示す図である。
【０４１１】
図４１の（Ａ）において、指標オブジェクト４１０１を持つ同調オブジェクト４１０２があり、同調オブジェクト４１０２を指標オブジェクトとする同調オブジェクト４１０３がある。
【０４１２】
図４１の（Ａ）は、移動を行う前の状態であり、図４１の（Ｂ）は移動を行った後の状態である。
【０４１３】
ユーザは、指標オブジェクト４１０１に対して移動処理を行う。
【０４１４】
次に、指標オブジェクト４１０１の同調オブジェクト４１０２に対して移動処理を行う。
【０４１５】
更に、同調オブジェクト４１０２を指標オブジェクトとする同調オブジェクト４１０３に対して移動処理を行う。同調オブジェクト４１０３の同調オブジェクトＩＤには、値が格納されていないため以上で移動処理は終了する。
【０４１６】
図４２は、本実施形態を示す情報処理装置における同調フィールドの移動処理の状態を示す図である。本例は、同調フィールド内のオブジェクトを同調オブジェクトと呼ぶ。
【０４１７】
図４２において、指標オブジェクト４２０１を持つ同調オブジェクト４２０２があり、同調オブジェクト４２０２を指標オブジェクトとする同調オブジェクト４２０３がある。
【０４１８】
図４２の（Ａ）は移動を行う前の状態であり、図４２の（Ｂ）は移動を行った後の状態である。
【０４１９】
ユーザは、同調オブジェクト４２０２に対して移動処理を行う。その後、製本アプリケーション１０４は、移動後の位置で指標オブジェクトの探索を行う。
【０４２０】
製本アプリケーション１０４は、探索の結果、移動後の位置で最も近いオブジェクトであった、指標オブジェクト４２０４を新しい指標オブジェクトとして選択する。
【０４２１】
そして、同調オブジェクト４２０２は、製本アプリケーション１０４によりテキスト属性とオブジェクト位置を指標オブジェクト４２０４のテキスト属性、オブジェクトの位置に合わせる処理が行なわれる。
【０４２２】
同調オブジェクト４２０２を指標オブジェクトとする同調オブジェクト４２０３は、製本アプリケーション１０４によりテキスト属性とオブジェクト位置を同調オブジェクト４２０２のテキスト属性とオブジェクト位置に合わせる処理が行われる。
【０４２３】
本実施形態では、テキストオブジェクトを用いて処理を説明したが、テキストボックスでも同様の処理が行えるためテキストボックスであっても同調オブジェクトとすることができる。
【０４２４】
その他のオブジェクトであっても、位置を変更でき、テキスト属性と表示する文字列があれば、同調オブジェクトとして設定できる。
【０４２５】
例えば、一部ずつ文字や画像を差し替えて印刷を行う可変印刷を行う文書処理装置においては、差し替える文字を挿入するためのテキスト可変フィールドを作成できる。この場合、テキスト可変フィールドも位置情報とテキスト属性を備えているため同調オブジェクトとして設定することが可能である。
【０４２６】
尚、同調オブジェクトのみでなく指標オブジェクトにできるオブジェクトも、位置情報とテキスト属性を備えているものであればテキストオブジェクトに限らず、その他のオブジェクト、テキスト可変フィールド等を用いてもよい。
【０４２７】
図４７は、本実施形態を示す文書処理装置における文書処理状態を説明する図である。本例は、指標オブジェクトの属性が変更された場合に、当該指標オブジェクトに対応付けられた同調フィールド内の同調オブジェクトの属性も従属して変更する例である。
【０４２８】
図４７に示すように、ユーザの操作により、指標オブジェクトＦ１３が選択されて、図示しないプロパティ画面で指標オブジェクトＦ１３の属性、本実施形態では、テキスト属性を変更する。例えば書体を行書体から丸ゴシック対に変更するとともに、文字サイズを１８ポイントから２４ポイント、さらに、色を紫から緑に変更する。
【０４２９】
このように指標オブジェクトＦ１３の属性が変更されると、製本アプリケーション１０４は、指標オブジェクトＦ１３に対応づけられた同調フィールド内の同調オブジェクトの属性を変更された属性へ一致するように変更する。ただし、変更された指標オブジェクトの属性を同調オブジェクトに適用すると、同調オブジェクトの位置やサイズに影響がでる場合がある。
【０４３０】
例えば指標オブジェクトの文字と同調フィールド内の文字とが位置的に重なり合う状態になると、製本アプリケーション１０４が判断した場合には、図４７に示すように、同調フィールド内の文字とが位置的に重なり合わない位置へ平行移動させる。その際、移動の基準は、フォントのベースラインとする。以下、図４８に示すフローチャートを参照して、フィールド位置の変更処理について説明する。
【０４３１】
図４８は、本実施形態を示す文書処理装置における第１３のデータ処理手順の一例を示すフローチャートである。本例は、同調フィールド内の文字とが位置的に重なり合わない位置へ平行移動させる処理例である。
【０４３２】
まず、Ｓ４８０１で、製本アプリケーション１０４は、例えば図４７に示す指標オブジェクトＦ１３のフォントのベースラインＢＬＬをフォント情報から取得する。次に、Ｓ４８０２で、製本アプリケーション１０４は、取得したベースラインＢＬＬの値から、同調フィールドＦ１２の１行目のフォントのベースラインの値を減算する。
【０４３３】
次に、Ｓ４８０３で、製本アプリケーション１０４は、減算した値Ｎを移動前の同調フィールドの座標値に加算して、本処理を終了する。
【０４３４】
これで、同調フィールドＦ１２のベースラインと指標オブジェクトのフォントのベースラインとを合わせることができる。
【０４３５】
なお、同調フィールドの移動は、ベースラインを調整した後、同調フィールドＦ１２内の先頭文字の座標値が、指標オブジェクトＦ１３の末尾の文字の座標値よりも、外側となるように、同調フィールドＦ１２内の先頭文字の配置座標を移動させる。
【０４３６】
〔第４実施形態〕
以下、図４９に示すメモリマップを参照して本発明に係る文書処理装置で読み取り可能なデータ処理プログラムの構成について説明する。
【０４３７】
図４９は、本発明に係る文書処理装置で読み取り可能な各種データ処理プログラムを格納する記憶媒体のメモリマップを説明する図である。
【０４３８】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０４３９】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０４４０】
本実施形態における図７、図８、図９、図１５、図１８、図２２、図２７、図２８、図３１、図３５、図４０Ａ、図４０Ｂ、図４８に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０４４１】
以上のように、前述した実施形態の機能を実現するソフトウェアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読出し実行することによっても、本発明の目的が達成されることは言うまでもない。
【０４４２】
この場合、記憶媒体から読み出されたプログラムコード自体が本発明の新規な機能を実現することになり、そのプログラムコードを記憶した記憶媒体は本発明を構成することになる。
【０４４３】
したがって、プログラムの機能を有していれば、オブジェクトコード、インタプリタにより実行されるプログラム、ＯＳに供給するスクリプトデータ等、プログラムの形態を問わない。
【０４４４】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０４４５】
この場合、記憶媒体から読出されたプログラムコード自体が前述した実施形態の機能を実現することになり、そのプログラムコードを記憶した記憶媒体は本発明を構成することになる。
【０４４６】
その他、プログラムの供給方法としては、クライアントコンピュータのブラウザを用いてインターネットのホームページに接続する。そして、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０４４７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０４４８】
また、コンピュータが読み出したプログラムコードを実行することにより、前述した実施形態の機能が実現されるだけではない。例えばそのプログラムコードの指示に基づき、コンピュータ上で稼働しているＯＳ（オペレーティングシステム）等が実際の処理の一部または全部を行う。そして、その処理によって前述した実施形態の機能が実現される場合も含まれることは言うまでもない。
【０４４９】
さらに、記憶媒体から読み出されたプログラムコードが、コンピュータに挿入された機能拡張ボードやコンピュータに接続された機能拡張ユニットに備わるメモリに書き込ませる。その後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０４５０】
本発明は上記実施形態に限定されるものではなく、本発明の趣旨に基づき種々の変形（各実施形態の有機的な組合せを含む）が可能であり、それらを本発明の範囲から除外するものではない。
【０４５１】
本発明の様々な例と実施形態を示して説明したが、当業者であれば、本発明の趣旨と範囲は、本明細書内の特定の説明に限定されるのではない。
【図面の簡単な説明】
【０４５２】
【図１】本発明の第１実施形態を示す書処理システムのソフトウェアの構成を示す図である。
【図２】図１に示したコンピュータのハードウェアの構成を説明するブロック図である。
【図３】本実施形態を示す情報処理装置で処理可能な電子原稿データの構造を説明する図である。
【図４】図３に示すブック属性のリストを示す図である。
【図５】図３に示す章属性のリストを示す図である。
【図６】図３に示すページ属性のリストを示す図である。
【図７】本実施形態を示す文書処理装置における第１のデータ処理手順の一例を示すフローチャートである。
【図８】本実施形態を示す文書処理装置における第２のデータ処理手順の一例を示すフローチャートである。
【図９】本実施形態を示す文書処理装置における第３のデータ処理手順の一例を示すフローチャートである。
【図１０】図２に示すＣＲＴに表示されるユーザインタフェースを説明する図である。
【図１１】図２に示すＣＲＴに表示されるユーザインタフェースを説明する図である。
【図１２】本実施形態を示す文書処理システムの構成を示すブロック図である。
【図１３】本実施形態を示す文書処理システムの一例を示すブロック図である。
【図１４】図２に示すＣＲＴに表示されるユーザインタフェースの一例を示す図である。
【図１５】本実施形態を示す文書処理装置における第４のデータ処理手順の一例を示すフローチャートである。
【図１６】図２に示すＣＲＴに表示されるユーザインタフェースの一例を示す図である。
【図１７】図２に示すＣＲＴに表示されるユーザインタフェースの一例を示す図である。
【図１８】本実施形態を示す文書処理装置における第５のデータ処理手順の一例を示すフローチャートである。
【図１９】図２に示すＣＲＴに表示されるユーザインタフェースの一例を示す図である。
【図２０】図２に示すＣＲＴに表示されるユーザインタフェースの一例を示す図である。
【図２１】図２に示すＣＲＴに表示されるユーザインタフェースの一例を示す図である。
【図２２】本実施形態を示す文書処理装置における第６のデータ処理装置を示すフローチャートである。
【図２３】図２に示すＣＲＴに表示されるユーザインタフェースの一例を示す図である。
【図２４Ａ】図２に示すＣＲＴに表示されるユーザインタフェースの一例を示す図である。
【図２４Ｂ】本実施形態を示す文書処理装置における文書編集処理を説明する概略図である。
【図２４Ｃ】本実施形態を示す文書処理装置における文書編集処理を説明する概略図である。
【図２５】本実施形態を示す情報処理装置におけるテキストオブジェクトの論理ページの例を示す図である。
【図２６】本実施形態を示す情報処理装置で処理可能なテキストオブジェクトのデータ構造を示す図である。
【図２７】本実施形態を示す文書処理装置における第７のデータ処理装置を示すフローチャートである。
【図２８】本実施形態を示す文書処理装置における第８のデータ処理装置を示すフローチャートである。
【図２９Ａ】本実施形態を示す情報処理装置における指標オブジェクトと同調オブジェクトのデータ構造の関係を示す図である。
【図２９Ｂ】図２８に示した指標オブジェクト探索処理の一例を説明する図である。
【図２９Ｃ】図２８に示した指標オブジェクト探索処理の一例を説明する図である。
【図２９Ｄ】図２８に示した指標オブジェクト探索処理の一例を説明する図である。
【図２９Ｅ】図２８に示した指標オブジェクト探索処理の一例を説明する図である。
【図３０】本実施形態を示す情報処理装置における指標オブジェクトと同調オブジェクトのデータ構造の関係を示す図である。
【図３１】本実施形態を示す文書処理装置における第９のデータ処理装置を示すフローチャートである。
【図３２】図２に示すＣＲＴに表示されるユーザインタフェースを含む文書編集の一例を示す図である。
【図３３】本実施形態を示す情報処理装置における強調設定されるテキストオブジェクトの状態を示す図である。
【図３４】本実施形態を示す情報処理装置における強調設定されるテキストオブジェクトの状態を示す図である。
【図３５】本実施形態を示す文書処理装置における第１０のデータ処理装置を示すフローチャートである。
【図３６】本実施形態を示す情報処理装置におけるオブジェクト位置変更処理状態を説明する図である。
【図３７】本実施形態を示す情報処理装置におけるオブジェクト位置変更処理状態を説明する図である。
【図３８Ａ】本実施形態を示す情報処理装置におけるオブジェクト編集処理状態を説明する図である。
【図３８Ｂ】本実施形態を示す情報処理装置におけるオブジェクト編集処理状態を説明する図である。
【図３９】本実施形態を示す情報処理装置におけるオブジェクト編集状態を示す図である。
【図４０Ａ】本実施形態を示す文書処理装置における第１１のデータ処理装置を示すフローチャートである。
【図４０Ｂ】本実施形態を示す文書処理装置における第１２のデータ処理装置を示すフローチャートである。
【図４０Ｃ】本実施形態を示す情報処理装置におけるオブジェクト編集処理状態を説明する図である。
【図４０Ｄ】本実施形態を示す情報処理装置におけるオブジェクト編集処理状態を説明する図である。
【図４１】本実施形態を示す情報処理装置における同調フィールドの移動処理の状態を示す図である。
【図４２】本実施形態を示す情報処理装置における同調フィールドの移動処理の状態を示す図である。
【図４３】図２に示すＣＲＴに表示されるユーザインタフェースの一例を示す図である。
【図４４】本実施形態を示す文書処理システムにおける可変印刷のページレイアウト例を示す図である。
【図４５Ａ】図２に示すＣＲＴに表示されるユーザインタフェースの一例を示す図である。
【図４５Ｂ】図２に示すＣＲＴに表示されるユーザインタフェースの一例を示す図である。
【図４６Ａ】図２に示すＣＲＴに表示されるユーザインタフェースの一例を示す図である。
【図４６Ｂ】図２に示すＣＲＴに表示されるユーザインタフェースの一例を示す図である。
【図４７】本実施形態を示す文書処理装置における文書処理状態を説明する図である。
【図４８】本実施形態を示す文書処理装置における第１３のデータ処理手順の一例を示すフローチャートである。
【図４９】本発明に係る文書処理装置で読み取り可能な各種データ処理プログラムを格納する記憶媒体のメモリマップを説明する図である。
【符号の説明】
【０４５３】
１６０７  テキストオブジェクト
３３０１、３９０１  同調オブジェクト
３３０２、３９０２  指標オブジェクト
２９０１  テキストのベースライン
【図１】
0005252933.tif 000002
【図２】
0005252933.tif 000003
【図３】
0005252933.tif 000004
【図４】
0005252933.tif 000005
【図５】
0005252933.tif 000006
【図６】
0005252933.tif 000007
【図７】
0005252933.tif 000008
【図８】
0005252933.tif 000009
【図９】
0005252933.tif 000010
【図１０】
0005252933.tif 000011
【図１１】
0005252933.tif 000012
【図１２】
0005252933.tif 000013
【図１３】
0005252933.tif 000014
【図１４】
0005252933.tif 000015
【図１５】
0005252933.tif 000016
【図１６】
0005252933.tif 000017
【図１７】
0005252933.tif 000018
【図１８】
0005252933.tif 000019
【図１９】
0005252933.tif 000020
【図２０】
0005252933.tif 000021
【図２１】
0005252933.tif 000022
【図２２】
0005252933.tif 000023
【図２３】
0005252933.tif 000024
【図２４Ａ】
0005252933.tif 000025
【図２４Ｂ】
0005252933.tif 000026
【図２４Ｃ】
0005252933.tif 000027
【図２５】
0005252933.tif 000028
【図２６】
0005252933.tif 000029
【図２７】
0005252933.tif 000030
【図２８】
0005252933.tif 000031
【図２９Ａ】
0005252933.tif 000032
【図２９Ｂ】
0005252933.tif 000033
【図２９Ｃ】
0005252933.tif 000034
【図２９Ｄ】
0005252933.tif 000035
【図２９Ｅ】
0005252933.tif 000036
【図３０】
0005252933.tif 000037
【図３１】
0005252933.tif 000038
【図３２】
0005252933.tif 000039
【図３３】
0005252933.tif 000040
【図３４】
0005252933.tif 000041
【図３５】
0005252933.tif 000042
【図３６】
0005252933.tif 000043
【図３７】
0005252933.tif 000044
【図３８Ａ】
0005252933.tif 000045
【図３８Ｂ】
0005252933.tif 000046
【図３９】
0005252933.tif 000047
【図４０Ａ】
0005252933.tif 000048
【図４０Ｂ】
0005252933.tif 000049
【図４０Ｃ】
0005252933.tif 000050
【図４０Ｄ】
0005252933.tif 000051
【図４１】
0005252933.tif 000052
【図４２】
0005252933.tif 000053
【図４３】
0005252933.tif 000054
【図４４】
0005252933.tif 000055
【図４５Ａ】
0005252933.tif 000056
【図４５Ｂ】
0005252933.tif 000057
【図４６Ａ】
0005252933.tif 000058
【図４６Ｂ】
0005252933.tif 000059
【図４７】
0005252933.tif 000060
【図４８】
0005252933.tif 000061
【図４９】
0005252933.tif 000062